(57)【要約】  本体部と、イメージセンサを備えて本体部に対して着脱可能に構成されているカメラヘッド部を備える。また第１コネクタ部と第２コネクタ部を有し、前記カメラヘッド部と前記本体部の間を接続可能な第１のケーブルと、第３コネクタ部と第４コネクタ部を有し、前記第１のケーブルと接続された状態で前記カメラヘッド部と前記本体部の間を接続可能な第２のケーブルを備える。そして第２コネクタ部と第４コネクタ部は同一の構造とする。
2020054267.tif 000002
【特許請求の範囲】
【請求項１】
本体部と、
イメージセンサを備え前記本体部に対して着脱可能に構成されているカメラヘッド部と、
第１コネクタ部と第２コネクタ部を有し、前記カメラヘッド部と前記本体部の間を接続可能な第１のケーブルと、
第３コネクタ部と第４コネクタ部を有し、前記第１のケーブルと接続された状態で前記カメラヘッド部と前記本体部の間を接続可能な第２のケーブルと、
を備え、
前記第２コネクタ部と前記第４コネクタ部は同一の構造とされている
カメラシステム。
【請求項２】
前記本体部に装着可能なベースプレートを備え、
前記第２コネクタ部、及び前記第４コネクタ部は、前記ベースプレートに対して着脱可能とされている
請求項１に記載のカメラシステム。
【請求項３】
前記ベースプレートは、
前記本体部に設けられている前記カメラヘッド部を装着する装着部に対して着脱可能とされている
請求項２に記載のカメラシステム。
【請求項４】
前記第２コネクタ部及び前記第４コネクタ部は、前記ベースプレートに設けられた凹部に嵌入する状態で装着可能とされている
請求項２に記載のカメラシステム。
【請求項５】
前記第２コネクタ部及び前記第４コネクタ部には、コネクタ配置面の背面側にハンドルが形成されている
請求項１に記載のカメラシステム。
【請求項６】
前記第１コネクタ部又は前記第３コネクタ部には、コネクタ配置面の背面側にハンドルが形成されている
請求項１に記載のカメラシステム。
【請求項７】
前記ハンドルは、ケーブル端の両側となる位置に一対設けられている
請求項５に記載のカメラシステム。
【請求項８】
前記第１コネクタ部又は前記第３コネクタ部には、ケーブルが、ケーブル端が下方に延伸する状態で取り付けられている
請求項１に記載のカメラシステム。
【請求項９】
前記第２コネクタ部と前記第３コネクタ部、又は前記第１コネクタ部と前記第４コネクタ部は、
ケーブルが、ケーブル端がコネクタ端子面の背面から突出する状態で取り付けられている
請求項１に記載のカメラシステム。
【請求項１０】
前記第１コネクタ部又は前記第３コネクタ部にビデオ出力端子が設けられている
請求項１に記載のカメラシステム。
【請求項１１】
前記ベースプレートにビデオ入力端子が設けられている
請求項２に記載のカメラシステム。
【請求項１２】
前記ビデオ入力端子から入力されたビデオ信号を出力するビデオ出力端子が、前記第１コネクタ部又は前記第３コネクタ部に設けられている
請求項１１に記載のカメラシステム。
【請求項１３】
前記ベースプレートには、前記カメラヘッド部に設けられている操作子と同一の操作機能となる操作子が設けられている
請求項２に記載のカメラシステム。
【請求項１４】
前記第１コネクタ部又は前記第３コネクタ部に電源出力端子が設けられている
請求項１に記載のカメラシステム。
【請求項１５】
前記本体部に装着可能なベースプレートを備え、
前記ベースプレートに、前記電源出力端子に電源電圧供給を行う電源入力端子が設けられている
請求項１４に記載のカメラシステム。
【請求項１６】
本体部と、イメージセンサを備え前記本体部に対して着脱可能に構成されているカメラヘッド部とを備えたカメラシステムにおいて、前記本体部と前記カメラヘッド部の間の接続に用いることのできるケーブルとして、
前記カメラヘッド部側と前記本体部側の間を接続可能な第１コネクタ部と第２コネクタ部とを有し、
前記第２コネクタ部は、自身と接続した状態で前記カメラヘッド部側と前記本体部側の間を接続可能な他のケーブルの一のコネクタ部と同一の構造とされている
ケーブル。
【請求項１７】
本体部と、イメージセンサを備え前記本体部に対して着脱可能に構成されているカメラヘッド部と、第１コネクタ部と第２コネクタ部を有し、前記カメラヘッド部と前記本体部の間を接続可能な他のケーブルを備えたカメラシステムにおいて、第３コネクタ部と第４コネクタ部を有し、前記他のケーブルと接続された状態で前記カメラヘッド部と前記本体部の間を接続可能なケーブルとして、
前記第４コネクタ部は前記第２コネクタ部と同一の構造とされている
ケーブル。
【発明の詳細な説明】
【技術分野】
【０００１】
本技術はカメラシステム、ケーブルに関し、特にカメラの本体部とカメラヘッド部を離間させて使用する場合に用いることのできる技術に関する。
【背景技術】
【０００２】
下記特許文献１のようにカメラシステムとして、イメージセンサを備えたカメラヘッド部（カメラヘッド部）と本体部を離間させてケーブルで接続することで撮像を行うものが知られている。
【先行技術文献】
【特許文献】
【０００３】
【特許文献１】特開平１０−３２７４７号公報
【発明の概要】
【発明が解決しようとする課題】
【０００４】
ところでカメラのカメラヘッド部と本体部を単にケーブル接続して用いるだけでなく、延長時の長さを変化できるようにするなど、より使用態様の柔軟性を持たせるとともに適切な使用性を実現することが望まれている。
そこで本技術は柔軟な延長使用ができ、使用性のよいカメラシステムを提供することを目的とする。
【課題を解決するための手段】
【０００５】
本技術に係るカメラシステムは、本体部と、イメージセンサを備え前記本体部に対して着脱可能に構成されているカメラヘッド部と、第１コネクタ部と第２コネクタ部を有し、前記カメラヘッド部と前記本体部の間を接続可能な第１のケーブルと、第３コネクタ部と第４コネクタ部を有し、前記第１のケーブルと接続された状態で前記カメラヘッド部と前記本体部の間を接続可能な第２のケーブルと、を備え、前記第２コネクタ部と前記第４コネクタ部は同一の構造とされているものである。
このカメラシステムは、本体部にカメラヘッド部を装着した基本状態、本体部とカメラヘッド部を第１のケーブルでつないだ第１の接続状態、本体部とカメラヘッド部を第１、第２のケーブルでつないだ第２の接続状態をとることができる。第２コネクタ部と第４コネクタ部が同一の構造とされて、例えばそれぞれ本体部側に接続可能とされる。【０００６】
上記した本技術に係るカメラシステムにおいては、前記本体部に装着可能なベースプレートを備え、前記第２コネクタ部、及び前記第４コネクタ部は、前記ベースプレートに対して着脱可能とされていることが考えられる。
本体部に第１のケーブル又は第２のケーブルを取り付ける構造体としてベースプレートを設け、このベースプレートは本体部と別体で着脱可能とする。【０００７】
上記した本技術に係るカメラシステムにおいては、前記ベースプレートは、前記本体部に設けられている前記カメラヘッド部を装着する装着部に対して着脱可能とされていることが考えられる。
即ち本体部からカメラヘッド部を取り外した状態で表出する装着部に対して、カメラヘッド部に代えてベースプレートを装着できるようにしている。【０００８】
上記した本技術に係るカメラシステムにおいては、前記第２コネクタ部及び前記第４コネクタ部は、前記ベースプレートに設けられた凹部に嵌入する状態で装着可能とされていることが考えられる。
第２コネクタ部と第４コネクタ部は同一構造であるが、これらに対応してベースプレートには装着用の凹部が設けられるようにし、そこに第２コネクタ部と第４コネクタ部のいずれかが嵌め込まれるようにする。【０００９】
上記した本技術に係るカメラシステムにおいては、前記第２コネクタ部及び前記第４コネクタ部には、コネクタ配置面の背面側にハンドルが形成されていることが考えられる。
第２コネクタ部と第４コネクタ部は同一構造であり、共にハンドルを備えている。【００１０】
上記した本技術に係るカメラシステムにおいては、前記第１コネクタ部又は前記第３コネクタ部には、コネクタ配置面の背面側にハンドルが形成されていることが考えられる。
第１のケーブルの第１コネクタ部又は第２のケーブルの第３コネクタ部にハンドルを設ける。【００１１】
上記した本技術に係るカメラシステムにおいては、前記ハンドルは、ケーブル端の両側となる位置に一対設けられていることが考えられる。
例えば第２コネクタ部と第４コネクタ部では、一対のハンドルが、ケーブル端を例えば左右から挟み込むような位置に配置されるようにする。【００１２】
上記した本技術に係るカメラシステムにおいては、前記第１コネクタ部又は前記第３コネクタ部には、ケーブルが、ケーブル端が下方に延伸する状態で取り付けられていることが考えられる。
例えばカメラヘッド部に取り付けられる第１コネクタ部又は第３コネクタ部では、ケーブル端は第１コネクタ部の上下方向に沿うように配置される。【００１３】
上記した本技術に係るカメラシステムにおいては、前記第２コネクタ部と前記第３コネクタ部、又は前記第１コネクタ部と前記第４コネクタ部は、ケーブルが、ケーブル端がコネクタ端子面の背面から突出する状態で取り付けられていることが考えられる。
第２コネクタ部と第３コネクタ部、又は第１コネクタ部と第４コネクタ部は、延長ケーブルと追加延長ケーブルを接続する際に接続される。【００１４】
上記した本技術に係るカメラシステムにおいては、前記第１コネクタ部又は前記第３コネクタ部にビデオ出力端子が設けられていることが考えられる。
即ちカメラヘッド部に取り付けられる第１コネクタ部又は第３コネクタ部に、撮像画像のモニタリング等に用いることのできるビデオ出力端子を設ける。【００１５】
上記した本技術に係るカメラシステムにおいては、前記ベースプレートにビデオ入力端子が設けられていることが考えられる。
即ち本体部に取り付けられるベースプレートに、撮像画像のモニタリング等に用いるビデオ信号のビデオ入力端子を設ける。【００１６】
上記した本技術に係るカメラシステムにおいては、前記ビデオ入力端子から入力されたビデオ信号を出力するビデオ出力端子が、前記第１コネクタ部又は前記第３コネクタ部に設けられていることが考えられる。
即ちカメラヘッド部に取り付けられる第１コネクタ部又は第３コネクタ部に、ベースプレートから入力したビデオ信号を出力するビデオ出力端子を設ける。【００１７】
上記した本技術に係るカメラシステムにおいては、前記ベースプレートには、前記カメラヘッド部に設けられている操作子と同一の操作機能となる操作子が設けられていることが考えられる。
カメラヘッド部に備えられている操作子と同様の操作を、ベースプレートの操作子により操作できるようにする。【００１８】
上記した本技術に係るカメラシステムにおいては、前記第１コネクタ部又は前記第３コネクタ部に電源出力端子が設けられていることが考えられる。
即ちカメラヘッド部に取り付けられる第１コネクタ部又は第３コネクタ部から必要部位に電源供給ができるようにする。【００１９】
上記した本技術に係るカメラシステムにおいては、  前記ベースプレートに、前記電源出力端子に電源電圧供給を行う電源入力端子が設けられていることが考えられる。
即ち本体部に取り付けられるベースプレートに、電源入力端子を設け、この電源入力端子からの電源電圧が、第１コネクタ部２１の電源出力端子に供給されるようにする。【００２０】
本技術に係るケーブルは、前記本体部と前記カメラヘッド部の間の接続に用いることのできるケーブルであり、前記カメラヘッド部側と前記本体部側の間を接続可能な第１コネクタ部と第２コネクタ部とを有し、前記第２コネクタ部は、自身と接続した状態で前記カメラヘッド部側と前記本体部側の間を接続可能な他のケーブルの一のコネクタ部と同一の構造とされている。即ち上述の第１のケーブルである。
また本技術に係るケーブルは、第３コネクタ部と第４コネクタ部を有し、前記第１のケーブルと接続された状態で前記カメラヘッド部と前記本体部の間を接続可能なケーブルとして、前記第４コネクタ部は前記第２コネクタ部と同一の構造とされている。即ち上述の第２のケーブルである。
【発明の効果】
【００２１】
本技術によれば、第１のケーブルを用いた第１の接続状態と、さらに第２のケーブルを用いた第２の接続状態として柔軟な延長使用ができ、しかも第２コネクタ部と第４コネクタ部が共通であることで使用性のよいカメラシステムを実現できる。
なお、ここに記載された効果は必ずしも限定されるものではなく、本開示中に記載されたいずれかの効果であってもよい。
【図面の簡単な説明】
【００２２】
【図１】本技術の実施の形態のカメラシステムの基本状態の斜視図である。
【図２】実施の形態の本体部からカメラヘッド部を外した状態の斜視図である。
【図３】実施の形態のカメラヘッド部からアダプターを外した状態の斜視図である。
【図４】実施の形態の本体部に交換レンズ、ファインダーユニットを取り付ける場合の説明図である。
【図５】実施の形態の本体部に交換レンズ、ファインダーユニットを取り付ける場合の説明図である。
【図６】実施の形態の延長状態の斜視図である。
【図７】実施の形態の延長ケーブルの斜視図である。
【図８】実施の形態のベースプレートから第２コネクタ部を外した状態の斜視図である。
【図９】実施の形態の追加延長状態の斜視図である。
【図１０】実施の形態の追加延長ケーブルの斜視図である。
【図１１】実施の形態の延長ケーブルと追加延長ケーブルの端子面の説明図である。
【図１２】実施の形態のカメラヘッド部とベースプレートの端子面の説明図である。
【図１３】実施の形態の基本状態、延長状態、追加延長状態における接続構成の説明図である。
【図１４】実施の形態の基本状態での接続構成の説明図である。
【図１５】実施の形態の延長状態での接続構成の説明図である。
【図１６】実施の形態の追加延長状態での接続構成の説明図である。
【図１７】実施の形態のプリエンファシス処理の説明図である。
【図１８】実施の形態の後／前処理部のブロック図である。
【図１９】実施の形態のクロック制御の説明図である。
【図２０】実施の形態のクロック制御処理のフローチャートである。
【図２１】実施の形態の接続状態による電源制御のフローチャートである。
【図２２】実施の形態の基本状態と延長状態での電源制御の説明図である。
【図２３】実施の形態の追加延長状態と禁止状態での電源制御の説明図である。
【発明を実施するための形態】
【００２３】
以下、実施の形態を次の順序で説明する。
＜１．カメラシステムの構造＞
＜２．延長使用形態＞
＜３．追加延長状態＞
＜４．コネクタ接続＞
＜５．各状態での電気的接続構成＞
＜６．増幅及び信号補償処理＞
＜７．クロック制御＞
＜８．接続状態による電源制御＞
＜９．まとめ及び変形例＞
【００２４】
＜１．カメラシステムの構造＞
まず実施の形態のカメラシステムとしての撮像装置１の構造を図１から図５を参照して説明する。
以下に示した実施の形態は、本技術のカメラシステムをビデオカメラとしての撮像装置１に適用したものである。
尚、本技術の適用範囲は例示するようなビデオカメラに限られることはない。本技術は、例えば、ビデオカメラ、スチルカメラであったり、赤外線カメラや特定波長カメラ等の特殊な撮影機能を持つカメラであったり、業務用、一般用、監視用など各種の用途のカメラなど、多様な撮像装置に広く適用することができる。
【００２５】
以下の説明にあっては、ビデオカメラの撮影時において撮影者から見た方向で前後上下左右の方向を示すものとする。
従って、物体側が前方となり、像面側が後方となる。
尚、以下に示す前後上下左右の方向は説明の便宜上のものであり、本技術の実施に関しては、これらの方向に限定されることはない。
【００２６】
また、カメラシステムに搭載されるレンズ群は、単数又は複数のレンズにより構成されたものの他、これらの単数又は複数のレンズと絞りやアイリス等の他の光学素子を含んでもよい。
【００２７】
撮像装置１は本体部２とカメラヘッド部３を有し、カメラヘッド部３が本体部２に対して着脱可能にされている（図１乃至図５参照）。
尚、本体部２はカメラヘッド部３に対する外部装置として設けられていてもよく、この場合にはカメラヘッド部３が外部装置に対して着脱可能にされる。また、カメラヘッド部３は単体で撮像装置として設けられていてもよい。
【００２８】
本体部２は外パネル４と外筐５を有し、外筐５が外パネル４によって覆われた構造にされている（図２参照）。
【００２９】
外パネル４はベースパネル部６とアッパーパネル部７とリアパネル部８を有し、ベースパネル部６が上下方向を向く底面部と底面部９の左右両側縁にそれぞれ連続され左右に離隔して位置された一対の側面部１０、１１とを有している（図１、図４参照）。
【００３０】
ベースパネル部６には側面部１０、１１に各種の操作部１２、１２、・・・が配置されている。操作部１２、１２、・・・としては、例えば、電源釦、撮影釦、ズーム摘子、モード切替摘子等が設けられている。
側面部１０、１１にはそれぞれ液晶パネル等の表示部１３、１３が配置されている。
【００３１】
側面部１０の上端寄りの位置には、例えば、左右に延びる流入孔１０ａ、１０ａ、・・・が上下に並んで形成されている。側面部１１の下端寄りの位置には、例えば、上下に延びる流出孔１１ａ、１１ａ、・・・が左右に並んで形成されている。
これらは内部のファンによる放熱機構の流路を構成する。
【００３２】
リアパネル部８の一方の側部には接続端子１４、１４、・・・が上下に並んで配置されている（図４、図５参照）。接続端子１４、１４、・・・には電力の供給や信号の送受信等を行うための図示しないケーブルが接続される。
後述するが、接続端子１４の１つは、モニタ画像信号を出力するビデオ出力端子１４ａとされている。モニタ画像信号とは、撮像装置１で撮像している被写体の画像をリアルタイムに表示して撮影者が確認できるようにする画像の信号であり、いわゆるスルー画と呼ばれる画像の信号である。ビデオ出力端子１４ａを図示しないケーブルによりモニタ装置に接続することで、ユーザが撮像中又は撮像スタンバイ中の被写体画像を見ることができる。
【００３３】
アッパーパネル部７は上下方向を向く板状に形成され、左右両端部がそれぞれ側面部１０、１１の上端部に取り付けられる（図１、図２参照）。
リアパネル部８は前後方向を向く板状に形成され、外周部がベースパネル部６の後端部とアッパーパネル部７の後端部とに取り付けられる。
上記のように、アッパーパネル部７が側面部１０、１１に取り付けられると共にリアパネル部８がベースパネル部６とアッパーパネル部７に取り付けられることにより外パネル４が構成され、外筐５が外パネル４によって上下左右及び後方から覆われる（図２参照）。
【００３４】
アッパーパネル部７の上面には調整台１５が取り付けられている（図１、図２参照）。調整台１５は縦長の矩形状に形成され、左右方向における中央部が凹状の溝部１６として形成され、溝部１６の左右両側の部分が調整部１７、１７として設けられている。
この調整台１５にはハンドル８０が着脱可能にされている（図４、図５参照）。
また調整台１５にはハンドル８０の他にファインダーユニット８５も着脱可能にされている。ファインダーユニット８５は回動アーム９０とビュー本体９１を有している。
ビュー本体９１は、一端部がファインダー部９１ａとして設けられており、ユーザはファインダー部９１ａによりモニタ画像や操作画面等を見ることができる。
【００３５】
本体部２の後面にはバッテリー５０１が装着される（図４、図５参照）。
バッテリー５０１は本体部２やカメラヘッド部３の各部に対して電源電圧を供給するための電源となる。
【００３６】
本体部２の前面側にはカメラヘッド部３が装着される（図１参照）。このカメラヘッド部３は、着脱可能とされ、本体部２から取り外すことができる（図２参照）。
なお、図１、図２では、カメラヘッド部３にはさらにアダプター５００が装着されている状態で示しているが、図３に示すとおり、カメラヘッド部３に対してはアダプター５００が着脱可能とされている。
【００３７】
アダプター５００は異なる交換レンズの装着のために用いられる。
例えばカメラヘッド部３に対しては、アダプター５００を装着していない状態で、図５に示す交換レンズ５０３を装着することができる。
一方、カメラヘッド部３にアダプター５００を装着することで、図４に示す異なるタイプの交換レンズ５０２を装着することができるように構成されている。
【００３８】
カメラヘッド部３は、概略方形で略板状の筐体１４０を有し、前面側がアダプター５００や交換レンズ５０３に対応する装着面１４１とされている（図３参照）。
そして所要の位置に複数のネジ孔１４２が設けられている。このネジ孔１４２はアダプター５００に設けられている複数のネジ孔５５０と対応した位置に形成されており、図１のようにネジ５５１により螺合することで、アダプター５００がカメラヘッド部３に装着されるようにしている。
【００３９】
カメラヘッド部３には、イメージセンサ３００や、ここでは図示しないＮＤ（neutral density）フィルタ、アイリス機構等の光学系素子や、必要な回路を搭載した回路基板などが搭載されている（図２参照）。
またカメラヘッド部３にはアサイナブルボタン３０２が設けられている。
アサイナブルボタン３０２は、ユーザが当該ボタンに任意の操作機能を割り当てることができる操作子である。例えば本体部２においても、操作部１２としてのいくつかのボタンがアサイナブルボタン１２ａとされている。
各アサイナブルボタン１２ａ、３０２に対して、ユーザは、例えば録画開始／停止操作、再生操作、メニュー操作など、自分の使用勝手に応じて任意の操作機能を割り当てることができる。
カメラヘッド部３にもアサイナブルボタン３０２が設けられていることで、後述するようにカメラヘッド部３を本体部２から離して使用する場合でも、アサイナブルボタン３０２によりカメラヘッド部３側のユーザが必要な操作を行うことができ、使用上便利のものとなる。
【００４０】
上記のようにカメラヘッド部３は、本体部２の外筐５に対して着脱可能にされている（図１、図２参照）。
本体部２には装着部９が形成されており、カメラヘッド部３はこの装着部９に対して所定の機構により取り付けられる（図２参照）。
ここで装着のための機構としては、端にカメラヘッド部３の筐体１４０と装着部９内に対応するネジ孔を設け、ネジ止めとしてもよい。但し例えば係止機構や係止を解除する解除機構を設け、ネジを用いずに容易に脱着できるようにしてもよい。特に後述する延長使用形態を想定すれば、ネジを使用せずにカメラヘッド部３と本体部２を容易に着脱できるようにすることが望ましい。
【００４１】
カメラヘッド部３の装着面１４１に対する背面側は端子面３Ｔを図１２Ａに示すが、この端子面３Ｔにはコネクタ３ａが設けられている。
これに対応して本体部２の装着部９には、コネクタ２ａが設けられている。
カメラヘッド部３が本体部２に装着された状態では、コネクタ２ａ，３ａが接合し、これにより本体部２とカメラヘッド部３の間で各種信号の伝送が行われる。
【００４２】
＜２．延長使用形態＞
以上の構造の撮像装置１は、基本的にはカメラヘッド部３は本体部２に装着されて使用される。本実施の形態では、カメラヘッド部３を本体部２から離間させて使用できるようにする。またこの際に、以下の点にも留意している。
【００４３】
図１乃至図５で示したように、基本的にはカメラヘッド部３を本体部２に組み込んで使用する構造の場合、通常はカメラヘッド部３のみを離間させて使用するということは想定していない。そして、カメラヘッド部３（特にイメージセンサ３００）からの信号は、微小レベルの信号を扱っている事もあり、積極的に分離状態で使用する為には大掛かりな回路などが準備される事が通常に想定される。
これに対して本実施の形態では、特にカメラヘッド部３が分離することを想定していない本体部２の場合でも、信号処理的に、大がかりな回路構造を追加せずに、安定した信号伝送を実現する。
【００４４】
またカメラヘッド部３を本体部２から脱着できるが、カメラヘッド部３と本体部２の界面の構造を簡素なコネクタ構造で定義する。そしてこの部分で安定した信号伝送が可能となる仕組みを導入する事で、実用的な範囲でのケーブル延長を可能とする。
特にケーブル構造による増幅のレベル可変や制御系への機器装着通知など行う事で、各種の制御へのフィードバックも実現する。
【００４５】
またカメラヘッド部３を離間して用いる場合に、イメージセンサ３００の動作モード、周波数、ＮＤフィルタ機能、レンズ通信など、カメラヘッド部３側に存在する機能の全てを通常に発揮できるように実現し、カメラヘッド部３の延長使用の際に性能劣化を生じさせないようにしている。
【００４６】
以下、延長使用を行う構造から説明していく。
なお用語として、「基本状態」「延長状態」「追加延長状態」という言葉を用いる。
「基本状態」とは、カメラヘッド部３が本体部２に装着されている状態を指す。即ち図１，図４，図５に示した使用状態である。
「延長状態」とは、カメラヘッド部３が本体部２から離間され、延長ケーブル２０を介して本体部２と接続されている第１の接続状態を指す。
「追加延長状態」とは、カメラヘッド部３が本体部２から離間され、延長ケーブル２０と追加延長ケーブル３０を介して本体部２と接続されている第２の接続状態を指す。
なお、「本体部２側」「カメラヘッド部３側」と「側」を付して表記する場合は、その本体部２やカメラヘッド部３に接合されている部分も含めた呼称とする。
即ち「本体部２側」とは、延長状態や追加延長状態では後述するベースプレート５０を含む。
また「カメラヘッド部３側」とは、延長状態や追加延長状態では後述する第１コネクタ部２１を含む。
【００４７】
以下説明する延長ケーブル２０、追加延長ケーブル３０は、いずれも電気的接続のために用いるケーブルである。そして延長ケーブル２０とは、本体部２とカメラヘッド部３の間を接続するケーブルのことである。追加延長ケーブル３０とは、延長ケーブル２０に加えて用いることで、さらに本体部２とカメラヘッド部３の間の距離を離すことができるようにしたケーブルである。
延長ケーブル２０、追加延長ケーブル３０としては、カメラヘッド部３と本体部２０を接続できるものであれば良く、ビニールなどの絶縁体で被覆された比較的軟質性のものでも良いし、硬質性のチューブ（円筒管）のようなものでも良い。
なお、以下の例では、延長ケーブル２０と、追加延長ケーブル３０による接続状態を説明していくが、これらの接続順序や接続方向は一例である。他の例については後述する。
【００４８】
まず図６、図７、図８、図１１Ａ、図１２Ａ、図１２Ｂを用いて延長状態の形態を説明する。
図６は、本体部２からカメラヘッド部３が取り外され、延長ケーブル２０によって接続されている状態を示している。
延長ケーブル２０は、第１コネクタ部２１、ケーブル２２、第２コネクタ部２３を有して構成される（図６、図７、図１１Ａ参照）。
第１コネクタ部２１はカメラヘッド部３に接続される、ケーブル２２の一端側のコネクタ部である。
第２コネクタ部２３は、本体部２側に接続される、ケーブル２２の他端側のコネクタ部である。
ケーブル２２は、第１コネクタ部２１と第２コネクタ部２３の間の信号伝送を行うもので、所要数の電気信号の伝送路が形成されている。
【００４９】
延長ケーブル２０は、例えば３ｍ程度の長さとされ、つまり図６の延長状態では、カメラヘッド部３を本体部２から例えば前方などに３ｍ離間させて撮像を行うことができるようになる。
【００５０】
第１コネクタ部２１は、図７のようにカメラヘッド部３の背面側の端子面３Ｔ（図１２Ａ参照）に対して接合される形態とされている。
第１コネクタ部２１の筐体２１Ｋは、例えばカメラヘッド部３の筐体１４０の端子面３Ｔとほぼ同型同サイズの輪郭形状とされた端子面２１ＦＲ（図１１Ａ参照）を有するものとされている。これにより端子面３Ｔ、２１ＦＲが相対する状態で接合されたときは、図６，図７に示すように、カメラヘッド部３の筐体１４０と第１コネクタ部２１の筐体２１Ｋが１つのボックスを形成するように一体化されるようになる。
特にカメラヘッド部３の筐体１４０は比較的薄い板状であるため、単体では自立しにくい。またアダプター５００の重量もありバランスも悪い。これに対して第１コネクタ部２１が装着されることカメラヘッド部３が自立し易いものとすることができる。
またカメラヘッド部３の筐体１４０が比較的薄い板状であることは、カメラヘッド部３のみではユーザが被写体に向けて安定して持ちにくいということもある。第１コネクタ部２１の筐体によって厚みが増すことで、カメラヘッド部３を本体部２から取り外したときに手に持ちやすく、取り扱いやすいものとなる。
【００５１】
第１コネクタ部２１の筐体２１Ｋの背面２１ＢＫ側には、ケーブル２２のケーブル端２２Ｅ１が固定装着されている（図７参照）。
ケーブル端２２Ｅ１は、その筐体２１Ｋに対する固定部分から、筐体２１Ｋに設けられた切欠部１２６に沿って下方に向かうように取り付けられている。
切欠部１２６内にケーブル端２２Ｅ１が位置することで、ケーブル端２２Ｅ１に外部応力が加わりにくい状態となり、ケーブル端２２Ｅ１の保護が図られている。
また、ケーブル端２２Ｅ１からケーブル２２が下向きに伸びるようにされることで、カメラヘッド部３が図７に示す状態に起立した状態に保たれやすくなる。
【００５２】
カメラヘッド部３の端子面３Ｔにはコネクタ３ａが配置されている（図１２Ａ参照）。また第１コネクタ部２１の端子面２１ＦＲにはコネクタ２１ａが配置される（図１１Ａ参照）。
図６のようにカメラヘッド部３と第１コネクタ部２１を接合した状態では、コネクタ３ａ，２１ａが接合し、延長ケーブル２０とカメラヘッド部３の間での信号の伝送が行われるようになる。
第１コネクタ部２１にはビデオ出力端子１２１が形成されており、例えばモニタ装置が接続可能とされている。
また第１コネクタ部２１には外部電源出力端子１２０が形成されており、外部電源が必要な機器に対して電源電圧の供給が可能とされている。
【００５３】
ケーブル２２の他端側の第２コネクタ部２３は、上下が湾曲された略直方体状の筐体２３Ｋにより形成されている。
筐体２３Ｋの上面及び下面には窪み部１２７が形成されている。
筐体２３Ｋの背面２３ＢＫには、一対のハンドル２３Ｈが取り付けられている。ハンドル２３Ｈや窪み部１２７により第２コネクタ部２３の取り扱いが容易となる。  
【００５４】
ケーブル２２の他端側は、そのケーブル端２２Ｅ２が背面２３ＢＫに対して垂直方向に突出する状態に固定されている。
特にケーブル端２２Ｅ２が背面２３ＢＫの略中央に固定され、その左右両側に一対のハンドル２３Ｈが位置するようにされることで、一対のハンドル２３Ｈによりケーブル端２２Ｅ２の接合部分に外部応力が加わりにくくなる。即ちケーブル端２２Ｅ２がハンドル２３Ｈにより保護されている。
【００５５】
この第２コネクタ部２３は、本体部２側に対して着脱可能とされる。特に本実施の形態では、本体部２にベースプレート５０を装着した状態で、第２コネクタ部２３が着脱可能となるようにしている。換言すればベースプレート５０は、本体部２側の構造体として設けられ、本体部２に延長ケーブル２０を接続可能とするものである。
図８にベースプレート５０の表面側（端子面５０Ｔａ）を示している。また図１２Ｂにベースプレート５０の裏面側（端子面５０Ｔｂ）を示している。
【００５６】
ベースプレート５０は、端子面５０Ｔａに中央に、第２コネクタ部２３を装着するための凹部５４を有している。
凹部５４は、第２コネクタ部２３の筐体２３Ｋが嵌入するサイズとされる。
図６は、第２コネクタ部２３が凹部５４に嵌入された状態を示している。図示のように第２コネクタ部２３の筐体２３Ｋは、ほぼ凹部５４の側面に密着する状態で、わずかな突出部分を残すのみの状態にまで嵌入する。嵌入状態では、筐体２３Ｋの窪み部１２７が凹部５４との隙間として残される。筐体２３Ｋの上下に窪み部１２７が形成されていることで、筐体２３Ｋと凹部５４の摩擦を過大にせずに、着脱が容易化される。
またユーザはハンドル２３Ｈを用いることで、ベースプレート５０に対する第２コネクタ部２３の着脱を容易に行うことができる。
【００５７】
また第２コネクタ部２３の大部分はベースプレート５０に嵌入することで、第２コネクタ部２３の接合による出っ張りが少なくなる。つまり本体部２にはベースプレート５０と第２コネクタ部２３の両方を装着することになるが、ベースプレート５０と第２コネクタ部２３の厚み方向のサイズがそのまま本体部２からの出っ張りとなることはないため、延長状態における本体部２側の前後方向のサイズを抑制できる。
【００５８】
ベースプレート５０の凹部５４の奥の面にはコネクタ５０ａが配置されている（図８参照）。また第２コネクタ部２３の端子面２３ＦＲにはコネクタ２３ａが配置される（図１１Ａ参照）。
図６のようにベースプレート５０に対して第２コネクタ部２３を装着した状態では、コネクタ５０ａ，２３ａが接合し、延長ケーブル２０とベースプレート５０の間での信号の伝送が行われるようになる。
【００５９】
ベースプレート５０の本体部２に対向する面は端子面５０Ｔｂとされる（図１２Ｂ参照）。
ベースプレート５０は本体部２の装着部９に対して着脱可能とされる。即ち本体部２からカメラヘッド部３を取り外した状態（図２参照）において表出する装着部９に対してベースプレート５０を装着できる。
このため、図１２Ａ、図１２Ｂに示すように、ベースプレート５０の端子面５０Ｔｂと、カメラヘッド部３の端子面３Ｔとは、完全同一形状である必要はないが、いずれも装着部９に対応して装着できる構造とされている。
【００６０】
ベースプレート５０の端子面５０Ｔｂには、コネクタ５０ｂが設けられている。このコネクタ５０ｂは装着部９におけるコネクタ２ａ（図２参照）と接合可能なコネクタであって、ベースプレート５０を装着部９に装着した状態でコネクタ２ａに相対して接合される位置に形成されている。従ってベースプレート５０が本体部２に装着されると、コネクタ部５０ｂ、２ａを介して、本体部２とベースプレート５０の間で信号の伝送が行われるようになる。
【００６１】
またコネクタ５０ｂは、基板５５の一面側に取り付けられており、基板５５の他面側には上述したコネクタ５０ａが取り付けられている。基板５５は、コネクタ５０ａ，５０ｂの各ピン間の配線を有しており、これによりコネクタ５０ａ側まで伝送路が形成されていることになる。
【００６２】
図６に示すように、ベースプレート５０には外部電源入力端子５１が形成されている。これに対応してカメラヘッド部３側となる第１コネクタ部２１には、外部電源出力端子１２０が形成されている。
後述するが、コネクタ５０ａ，２３ａ、ケーブル２２、コネクタ２１ａで形成される経路として外部電源供給のためのラインが形成されている。
これにより本体部２側で外部電源入力端子５１に電源装置（電源アダプター等）を接続して、電源供給を行うことで、カメラヘッド部３側では外部電源出力端子１２０から電源電圧を得、必要な装置を駆動することができる。
例えば交換レンズ５０２等としては、レンズ駆動等のために外部電源を必要とするものもあるが、そのような場合に、第２コネクタ部２３に設けられた外部電源出力端子１２０を用いて電源電圧を確保することができる。つまり本体部２から離間した状態で、カメラヘッド部３側でも、別途の電源配線を必要とせずに、外部電源電圧を使用することができるようになっている。
【００６３】
またベースプレート５０にはビデオ入力端子５３が設けられ、対応して第１コネクタ部２１にはビデオ出力端子１２１が設けられている。
後述するが、コネクタ５０ａ，２３ａ、ケーブル２２、コネクタ２１ａで形成される経路としてビデオ入力端子５３とビデオ出力端子１２１間の伝送ラインが形成されている。そしてビデオ出力端子１２１にモニタ装置を接続することで、本体部２側から供給する画像信号をモニタ装置に供給し表示させることができる。例えば本体部２で生成するモニタ画像信号（スルー画）をカメラヘッド部３側のユーザが見ることができる。
【００６４】
また上述したようにカメラヘッド部３にはアサイナブルボタン３０２が設けられているが、これに対応してベースプレート５０にはアサイナブルボタン５２が設けられている。
アサイナブルボタン５２はアサイナブルボタン３０２と同機能の操作子であるが、ベースプレート５０に設けられることで、カメラヘッド部３側と同じ操作を本体部２側でできることとなる。
【００６５】
＜３．追加延長状態＞
続いて図９、図１０、図１１Ｂ、図１２Ｂを用いて追加延長状態の形態を説明する。
図９は、本体部２からカメラヘッド部３が取り外され、延長ケーブル２０と追加延長ケーブル３０の２本のケーブルを介して接続されている状態を示している。
追加延長ケーブル３０は、例えば３ｍ程度の長さとされ、つまり図９の追加延長状態では、カメラヘッド部３を本体部２から例えば前方などに６ｍ離間させて撮像を行うことができるようになる。
【００６６】
追加延長ケーブル３０は、第３コネクタ部３１、ケーブル３２、第４コネクタ部３３を有して構成される（図９、図１０、図１１Ｂ参照）。
第３コネクタ部３１は延長ケーブル２０の第２コネクタ部２３に接続される、ケーブル３２の一端側のコネクタ部である。
第４コネクタ部３３は、本体部２側（ベースプレート５０）に接続される、ケーブル３２の他端側のコネクタ部である。
なお、第３コネクタ部３１と第４コネクタ部３３の「第３」「第４」は、延長ケーブル２０の第１コネクタ部２１、第２コネクタ部２３と区別するために付しているものであり、追加延長ケーブル３０に第１，第２コネクタ部が存在するわけではない。
ケーブル３２は、第３コネクタ部３１と第４コネクタ部３３の間の信号伝送を行うもので、所要数の電気信号の伝送路が形成されている。
【００６７】
第３コネクタ部３１は、図９のように延長ケーブル２０の第２コネクタ部２３と接合される形態とされている。
第３コネクタ部３１の筐体３１Ｋは、第２コネクタ部２３の筐体２３Ｋとほぼ同一形状とされ、この第３コネクタ部３１と第２コネクタ部２３は、互いの端子面３１ＦＲ、２３ＦＲ（図１１参照）を向かい合わせた状態で接合される。
そして接合状態においては図９に示すように、筐体２３Ｋ、３１Ｋが１つのボックスを形成するように一体化される。
特に筐体２３Ｋ、３１Ｋの外縁形状が略同一形状とされていることで、図９のように接合した状態で、接合界面の段差がなく、ユーザがこの部分（６ｍに至るケーブルの中央部分）を扱いやすいものとなる。
【００６８】
筐体３１Ｋの上面及び下面には窪み部１３１が形成されている。
筐体３１Ｋの背面３１ＢＫには、一対のハンドル３１Ｈが取り付けられている。ハンドル３１Ｈや窪み部１３１により第３コネクタ部３１の取り扱いが容易となる。
【００６９】
ケーブル３２の一端側は、そのケーブル端３２Ｅ１が第３コネクタ部３１の背面３１ＢＫに対して垂直方向に突出する状態に固定されている（図１０参照）。
ケーブル端３２Ｅ１が背面３１ＢＫの略中央に固定され、その左右両側に一対のハンドル３１Ｈが位置するように配置されることで、一対のハンドル３１Ｈによりケーブル端３２Ｅ１の接合部分に対して外部応力が加わりにくくなる。即ちケーブル端３２Ｅ１がハンドル３１Ｈにより保護されている。
【００７０】
第３コネクタ部３１の端子面３Ｔにはコネクタ３１ａが配置されている（図１１Ｂ参照）。これは第２コネクタ部２３の端子面２３ＦＲのコネクタ２３ａに対応するコネクタとされる。つまりコネクタ３１ａは、ベースプレート５０のコネクタ５０ａと同じコネクタである。従って第２コネクタ部２３は、第３コネクタ部３１とベースプレート５０の両方に接合可能となる。
図９のように第２コネクタ部２３と第３コネクタ部３１を接合した状態では、コネクタ２３ａ，３１ａが接合し、追加延長ケーブル３０と延長ケーブル２０の間での信号の伝送が行われるようになる。
【００７１】
追加延長ケーブル３０におけるケーブル３２の他端側の第４コネクタ部３３は、延長ケーブル２０の第２コネクタ部２３の筐体２３Ｋと同じ形状の筐体３３Ｋにより形成されている。なお、必ずしも筐体２３Ｋ、３３Ｋは完全に同一の形状である必要はない。少なくとも筐体２３Ｋ、３３Ｋはいずれもベースプレート５０の凹部５４に嵌入して装着可能とされる形状であればよい。但し筐体２３Ｋ、３３Ｋ（さらには筐体３１Ｋ）が同一形状とされれば、製造上の効率化が図られる。
【００７２】
筐体３３Ｋの上面及び下面には窪み部１３２が形成されている。
筐体３３Ｋの背面３３ＢＫには、一対のハンドル３３Ｈが取り付けられている。ハンドル３３Ｈや窪み部１３２により第４コネクタ部３３の取り扱いが容易となる。  
【００７３】
ケーブル３２の他端側は、そのケーブル端３２Ｅ２が筐体３３Ｋの背面３３ＢＫに対して垂直方向になるように固定されている。
特にケーブル端３２Ｅ２が背面３３ＢＫの略中央に固定され、その左右両側に一対のハンドル３３Ｈが位置するようにされることで、一対のハンドル３３Ｈによりケーブル端３２Ｅ２の接合部分に外部応力が加わりにくくなる。即ちケーブル端３２Ｅ２がハンドル３３Ｈにより保護されている。
【００７４】
この第４コネクタ部３３は、本体部２側に対して着脱可能とされる。即ちベースプレート５０に対して第４コネクタ部３３が着脱可能となるようにしている。
先に説明した第２コネクタ部２３とベースプレート５０の接合状態と同様に、第４コネクタ部３３はベースプレート５０の凹部５４に嵌入して接合される。
第４コネクタ部３３の窪み部１３２は、嵌入状態で筐体３３Ｋと凹部５４との隙間として残される（図９参照）。これにより筐体３３Ｋと凹部５４の摩擦が過大とならず、着脱が容易化される。
またユーザはハンドル３３Ｈを用いることで、ベースプレート５０に対する第４コネクタ部３３の着脱を容易に行うことができる。
【００７５】
また第４コネクタ部３３も第２コネクタ部２３と同様に、その大部分はベースプレート５０の凹部５４に嵌入することで、第４コネクタ部３３の接合による本体部２からの出っ張りが少なくなる。従って追加延長状態における本体部２側の前後方向のサイズを抑制できる。
【００７６】
上述のようにベースプレート５０の凹部５４の奥の面にはコネクタ５０ａが配置されている（図８参照）が、これに対して第４コネクタ部３３の端子面３３ＦＲにはコネクタ３３ａが配置される（図１１Ｂ参照）。
図９のようにベースプレート５０に対して第４コネクタ部３３を装着した状態では、コネクタ５０ａ，３３ａが接合し、追加延長ケーブル３０とベースプレート５０の間での信号の伝送が行われるようになる。
【００７７】
＜４．コネクタ接続＞
以上の基本状態、延長状態、追加延長状態におけるコネクタ接続について説明する。
上記では以下のコネクタについて述べた。
・カメラヘッド部３のコネクタ３ａ
・延長ケーブル２０の第１コネクタ部２１のコネクタ２１ａ
・延長ケーブル２０の第２コネクタ部２３コネクタ２３ａ
・追加延長ケーブル３０の第３コネクタ部３１のコネクタ３１ａ
・追加延長ケーブル３０の第４コネクタ部３３のコネクタ３３ａ
・ベースプレート５０の端子面５０Ｔａのコネクタ５０ａ
・ベースプレート５０の端子面５０Ｔｂのコネクタ５０ｂ
・本体部２のコネクタ２ａ
【００７８】
これらのコネクタは、少なくとも次のように対応する。
カメラヘッド部３のコネクタ３ａは、コネクタ２ａ、２１ａに接合可能である。
延長ケーブル２０の第１コネクタ部２１のコネクタ２１ａは、コネクタ３ａに接合可能である。
延長ケーブル２０の第２コネクタ部２３のコネクタ２３ａは、コネクタ３１ａ、５０ａに接合可能である。
追加延長ケーブル３０の第３コネクタ部３１のコネクタ３１ａは、コネクタ２３ａに接合可能である。
追加延長ケーブル３０の第４コネクタ部３３のコネクタ３３ａは、コネクタ５０ａに接合可能である。
ベースプレート５０の端子面５０Ｔａのコネクタ５０ａはコネクタ２３ａ、３３ａに接合可能である。
ベースプレート５０の端子面５０Ｔｂのコネクタ５０ｂはコネクタ２ａに接合可能である。
本体部２のコネクタ２ａはコネクタ３ａ、５０ｂに接合可能である。
【００７９】
図１３に各状態でのコネクタ接続を示している。なお以降の各図で「ＣＮ」はコネクタを表すこととする。
図１３Ａは基本状態を示している。
本体部２にカメラヘッド部３が装着され、コネクタ２ａ，３ａが接合されて、本体部２とカメラヘッド部３の間の信号伝送が行われる。
【００８０】
図１３Ｂは延長状態を示している。
本体部２にベースプレート５０が装着される。そしてカメラヘッド部３とベースプレート５０の間に延長ケーブル２０が取り付けられる。
この場合、コネクタ２ａ，５０ｂが接合され、コネクタ５０ａ，２３ａが接合され、コネクタ２１ａ，３ａが接合される。これによりベースプレート５０と延長ケーブル２０を介して、本体部２とカメラヘッド部３の間の信号伝送が行われる。
【００８１】
図１３Ｃは追加延長状態を示している。
本体部２にベースプレート５０が装着される。そしてカメラヘッド部３とベースプレート５０の間に追加延長ケーブル３０と延長ケーブル２０が取り付けられる。
この場合、コネクタ２ａ，５０ｂが接合され、コネクタ５０ａ，３３ａが接合され、コネクタ３１ａ，２３ａが接合され、コネクタ２１ａ，３ａが接合される。これによりベースプレート５０と追加延長ケーブル３０と延長ケーブル２０を介して、本体部２とカメラヘッド部３の間の信号伝送が行われる。
【００８２】
なお、これらのコネクタの全部又は一部は基板に取り付けられ、ボードトゥボード（ＢｔｏＢ）コネクタとして配置されている。
各コネクタのピン数（端子数）は、特に規定されるものではないが、例えば１００ピン以上設けられていることが考えられる。
【００８３】
＜５．各状態での電気的接続構成＞
以下では、各状態での電気的接続構成を説明するが、そのためにまず各部の内部の信号処理系の構成について説明しておく。
図１４に、基本状態における電気的接続状態を示しているが、この図１４により本体部２とカメラヘッド部３の要部構成を説明する。
【００８４】
本体部２は制御部２００、信号処理部２０２、記録部２０３、通信部２０４、電源回路２０５を備える。なお、これら以外にも表示制御部、表示部、操作部等、カメラ本体として必要な構成を備えるが、図１４，図１５，図１６の対応関係を明確にしつつ図の煩雑化を避けるために図示を省略している。
カメラヘッド部３はイメージセンサ３００、レンズ系駆動部３０１、アサイナブルボタン３０２を備えている。カメラヘッド部３についても他にも構成要素はあるが同様の理由で図示を省略している。
【００８５】
イメージセンサ３００は、例えばＣＣＤ（Charge Coupled Device）型、ＣＭＯＳ（Complementary Metal Oxide Semiconductor）型など、光電変換画素がマトリクス状に配置されて形成された撮像素子を有する。そして図示しない光学系により被写体からの光がイメージセンサ３００に集光される。
ここで光学系とは、例えばカバーレンズ、ズームレンズ、フォーカスレンズ等のレンズや絞り機構、光学フィルタ等を指し、これらはカメラヘッド部３内、アダプター５００内、交換レンズ５０２，５０３内に設けることができる。
【００８６】
イメージセンサ３００では、撮像素子での光電変換で得た電気信号について、例えばＣＤＳ(Correlated Double Sampling)処理、ＡＧＣ(Automatic Gain Control)処理などを実行し、さらにＡ／Ｄ(Analog/Digital)変換処理を行う。そしてデジタルデータとしての撮像画像信号を本体部２側に出力する。イメージセンサ３００は例えばいわゆるＲＡＷデータとしての画像信号を出力する。
【００８７】
レンズ系駆動部３０１は、制御部２００の制御に基づいて、上記の光学系におけるフォーカスレンズ、ズームレンズ、絞り機構、光学フィルタ機構等を駆動する。
【００８８】
本体部２における信号処理部２０２は、例えばＤＳＰ（Digital Signal Processor）等により画像処理プロセッサとして構成される。この信号処理部２０２は、イメージセンサ３００からの撮像画像信号に対して各種の信号処理を施す。
例えば信号処理部２０２は、Ｒ，Ｇ，Ｂの黒レベルを所定のレベルにクランプするクランプ処理、Ｒ，Ｇ，Ｂの色チャンネル間の補正処理、各画素についての画像データが、Ｒ，Ｇ，Ｂ全ての色成分を有するようにするデモザイク処理、輝度（Ｙ）信号および色（Ｃ）信号を生成（分離）する処理等を施す。
さらに信号処理部２０２は、各種の信号処理が施された画像データに対して、必要な解像度変換処理、例えば記録用や通信出力用、或いはモニタ画像用の解像度変換を実行する。また信号処理部２０２は、解像度変換された画像データについて、例えば記録用や通信用の圧縮処理、符号化処理等を行う。
【００８９】
なお、信号処理部２０２は、撮像モニタ表示（スルー画表示）のためのモニタ画像信号を生成する処理を行い、そのモニタ画像信号をビデオ出力端子１４ａに供給する。これにより外部のモニタ装置をビデオ出力端子１４ａに接続することでモニタ画像を見ることができるようにしている。
【００９０】
制御部２００は、ＣＰＵ（Central Processing Unit）、ＲＯＭ（Read Only Memory）、ＲＡＭ（Random Access Memory）、フラッシュメモリなどを備えたマイクロコンピュータ（演算処理装置）により構成される。
ＣＰＵがＲＯＭやフラッシュメモリ等に記憶されたプログラムを実行することで、この撮像装置１全体を統括的に制御する。
ＲＡＭは、ＣＰＵの各種データ処理の際の作業領域として、データやプログラム等の一時的な格納に用いられる。
ＲＯＭやフラッシュメモリ（不揮発性メモリ）は、ＣＰＵが各部を制御するためのＯＳ（Operating System）や、画像ファイル等のコンテンツファイルの他、各種動作のためのアプリケーションプログラムや、ファームウエア等の記憶に用いられる。
【００９１】
このような制御部２００は、信号処理部２０２における各種信号処理のパラメータ制御、ユーザの操作に応じた撮像動作や記録動作、記録した画像ファイルの再生動作、イメージセンサ３００の撮像動作、ズーム、フォーカス、露光調整等のカメラ動作、ユーザインターフェース動作等について、必要各部の動作を制御する。
このため制御部２００はイメージセンサ３００やレンズ系駆動３０１に対して制御信号を送信する。例えば制御部２００は、イメージセンサ３００におけるシャッタースピードやフレームレート等の制御信号や、クロック信号、或いはレンズ系駆動３０１に対する制御信号をカメラヘッド部３側に送信する。
【００９２】
記録部２０３は、例えば不揮発性メモリからなり、静止画データや動画データ等の画像ファイル（コンテンツファイル）や、画像ファイルの属性情報、サムネイル画像等を記憶する記憶領域として機能する。
記録部２０３の実際の形態は多様に考えられる。例えば記録部２０３は、本体部２に内蔵されるフラッシュメモリでもよいし、本体部２に着脱できるメモリカード（例えば可搬型のフラッシュメモリ）と該メモリカードに対して記録再生アクセスを行うカード記録再生部による形態でもよい。また本体部２に内蔵されている形態としてＨＤＤ（Hard Disk Drive）などとして実現されることもある。
【００９３】
通信部２０４は、外部機器との間のデータ通信やネットワーク通信を有線又は無線で行う。
例えば外部の表示装置、記録装置、再生装置等の間で撮像画像データ（静止画ファイルや動画ファイル）の通信を行う。また、ネットワーク通信部として、例えばインターネット、ホームネットワーク、ＬＡＮ（Local Area Network）等の各種のネットワークによる通信を行い、ネットワーク上のサーバ、端末等との間で各種データ送受信を行うようにしてもよい。
【００９４】
電源回路２０５は、例えばバッテリー５０１を電源として、必要な電源電圧Ｖ０を生成し本体部２内の各部に供給する。
また電源回路２０５はカメラヘッド部３側に供給する電源電圧Ｖ１も生成し、カメラヘッド部３に供給する。
電源回路２０５による電源電圧供給のオン／オフは制御部２００によって制御される。
【００９５】
カメラヘッド部３に設けられたアサイナブルボタン３０２の操作情報は、コネクタ３ａ、２ａを介して制御部２００が検出する。
制御部２００はアサイナブルボタン３０２の操作を検出することに応じて、アサイナブルボタン３０２に割り当てられた動作の制御を行う。例えば録画開始などの制御を行う。
【００９６】
図１４の基本状態では、本体部２とカメラヘッド部３において以上の各部が連携して動作し、動画や静止画の撮像、記録、通信等が行われる。
なお端子ＰＳ６，ＰＳ５はそれぞれコネクタ３ａ，２ａの特定端子を示しており制御部２００は端子２ａの電圧状態により接続状態を認識する。
【００９７】
続いて図１５を参照して、延長ケーブル２０の構成について説明する。
図１５は、延長状態として本体部２、ベースプレート５０、延長ケーブル２０、カメラヘッド部３が接続されている状態を示している。
【００９８】
ここで本体部２側とカメラヘッド部３側の信号伝送のための伝送路としては、ラインＬＮ（ＬＮ１〜ＬＮ７）が設けられている。
図１４では示さなかったが、図１４の基本状態でも、以下の各ラインＬＮ（但しビデオ信号ラインＬＮ２は除く）は形成されている。
これら伝送路ＬＮ１〜ＬＮ７は、それぞれが必ずしも１本の伝送路ではなく、機能的にまとめて示すとともに、代表的な伝送路のみ示している。実際には後述するラインＬＮ８，ＬＮ９も含めてさらに多数のラインＬＮが形成される。
各ラインＬＮは以下のとおりである。
【００９９】
・ＬＮ１：画像信号ライン
画像信号ラインＬＮ１は、イメージセンサ３００からの画像信号を本体部２に伝送するラインである。
【０１００】
・ＬＮ２：画像信号ライン
画像信号ラインＬＮ２は、ベースプレート５０のビデオ入力端子５３と第１コネクタ部２１のビデオ出力端子１２１を接続するラインで、例えばモニタ画像信号を伝送するラインである。
なお、図１４の状態では、この画像信号ラインＬＮ２は形成されない。このため例えばコネクタ５０ａ、２３ａにおける、コネクタ２ａ，３ａの空きピンに対応するピン（端子）を利用して配線が行われ、延長ケーブル２０内でビデオ信号ラインＬＮ２が形成されるようにしている。もちろんコネクタ５０ａ、２３ａのピン数を、コネクタ２ａ，３ａのピン数よりも多くしてもよく、その場合は追加のピンを用いればよい。
【０１０１】
・ＬＮ３：制御ライン
制御ラインＬＮ３は、制御部２００からカメラヘッド部３への制御信号やクロック信号の伝送に用いられる複数の信号線路を示している。
・ＬＮ４：制御ライン
制御ラインＬＮ４は、カメラヘッド部３から制御部２００への信号伝送に用いられる複数の信号線路を示している。例えばカメラヘッド部３の状態検出信号や、制御信号に対する応答信号などの伝送に用いられる。
【０１０２】
・ＬＮ５：電源ライン
電源ラインＬＮ５は、本体部２の電源回路２０５による電源電圧Ｖ１を、カメラヘッド部３側に供給するラインである。
【０１０３】
・ＬＮ６：アサイナブルボタンライン
アサイナブルボタンラインＬＮ６は、アサイナブルボタン３０２，５２をワイヤードオアで接続し、これらの操作を制御部２００が検知できるようにするラインである。
【０１０４】
・ＬＮ７：外部電源ライン
外部電源ラインＬＮ７は、ベースプレート５０の外部電源入力端子５１と第１コネクタ部２１の外部電源出力端子１２０を接続するラインである。
【０１０５】
なお、図の煩雑化を避けるため図示は省略したが、グランドラインも設けられる。これにより本体部２、ベースプレート５０、延長ケーブル２０、追加延長ケーブル３０、カメラヘッド部３で共通のグランドが形成される。
【０１０６】
以上のラインＬＮが形成される延長ケーブル２０には、第１コネクタ部２１内に前処理部２４、バッファーアンプ２６、ＤＣ／ＤＣコンバータ２８が設けられる。
また第２コネクタ部２３内には、後／前処理部２５、バッファーアンプ２７、ＤＣ／ＤＣコンバータ２９が設けられる。
【０１０７】
前処理部２４は、画像信号ラインＬＮ１に対応して設けられており、イメージセンサ３００から出力される画像信号（ＲＡＷ画像データ）に対しての増幅処理（プリエンファシス処理）を行う。このプリエンファシス処理は３ｍの延長ケーブル２０の伝送における信号減衰を考慮して、予め減衰分をブーストする処理である。
後／前処理部２５は同じく画像信号ラインＬＮ１に対応して設けられる。この後／前処理部２５は、波形整形としての信号補償処理、及び、前処理部２４と同様の増幅処理（プリエンファシス処理）が可能とされている。
ここでいう波形整形（信号補償）は、延長ケーブル２０の３ｍの伝送によって変化（劣化）した周波数特性の補償のためのイコライジング処理である。
【０１０８】
バッファーアンプ２７は、制御ラインＬＮ３に対応して設けられており、制御部２００から送信する各種の制御信号やクロック信号のうちで、必要な信号に対して増幅処理を行う。
バッファーアンプ２６は、制御ラインＬＮ４に対応して設けられており、カメラヘッド部３から送信する各種の信号のうちで、必要な信号に対して増幅処理を行う。
これらバッファーアンプ２６，２７による増幅処理も、延長ケーブル２０のケーブル伝送時の減衰に対応するものである。
【０１０９】
ＤＣ／ＤＣコンバータ２８は、電源ラインＬＮ５に供給される電源回路２０５からの直流電圧Ｖ１を入力して電圧変換を行い、第１コネクタ部２１内で必要な電源電圧Ｖｃを生成して、前処理部２４、バッファーアンプ２６に供給する。
ＤＣ／ＤＣコンバータ２９も、電源ラインＬＮ５に供給される電源回路２０５からの直流電圧Ｖ１を入力して電圧変換を行い、第２コネクタ部２３内で必要な電源電圧Ｖｃを生成して、後／前処理部２５、バッファーアンプ２７に供給する。
なお端子ＰＳ１はコネクタ２３ａの特定の端子、端子ＰＳ２はコネクタ５０ａの特定の端子で互いに接合される。また端子ＰＳ４は、コネクタ５０ａの特定の端子で、コネクタ２ａの端子ＰＳ５に接合される。これについては後述する。
【０１１０】
続いて図１６を参照して、追加延長ケーブル３０の構成について説明する。
図１６は、追加延長状態として本体部２、ベースプレート５０、追加延長ケーブル３０、延長ケーブル２０、カメラヘッド部３が接続されている状態を示している。
この場合も伝送路としては、上記の図１５と同様にラインＬＮ（ＬＮ１〜ＬＮ７）が形成される。
【０１１１】
追加延長ケーブル３０には、第３コネクタ部３１内にバッファーアンプ３６が設けられる。
また第４コネクタ部３３内には、後／前処理部３５、バッファーアンプ３７、ＤＣ／ＤＣコンバータ３９が設けられる。
【０１１２】
後／前処理部３５は、延長ケーブル２０における後／前処理部２５と同様の回路である。
バッファーアンプ３７は、制御ラインＬＮ３に対応して設けられており、制御部２００から送信する各種の制御信号やクロック信号のうちで、必要な信号に対して増幅処理を行う。
バッファーアンプ３６は、制御ラインＬＮ４に対応して設けられており、カメラヘッド部３から送信する各種の信号のうちで、必要な信号に対して増幅処理を行う。
これらバッファーアンプ３６，３７による増幅処理は、追加延長ケーブル３０のケーブル伝送時の減衰に対応するものである。
【０１１３】
ＤＣ／ＤＣコンバータ３９は、電源ラインＬＮ５に供給される電源回路２０５からの直流電圧Ｖ１を入力して電圧変換を行い、第４コネクタ部３３内で必要な電源電圧Ｖｃを生成して、後／前処理部３５、バッファーアンプ３７に供給する。
この例では第３コネクタ部３１内にＤＣ／ＤＣコンバータが設けられていないが、バッファーアンプ３６への電源電圧Ｖｃは、接続される第２コネクタ部２３のＤＣ／ＤＣコンバータ２９から得るようにしている。即ちコネクタ２３ａ，２１ａの所定の端子を介して、第２コネクタ部２３のＤＣ／ＤＣコンバータ２９からの電源電圧Ｖｃが第３コネクタ部３１に供給される。但し、第３コネクタ部３１内にもＤＣ／ＤＣコンバータを設ける構成も当然考えられる。
【０１１４】
ここで先に追加延長ケーブル３０の第４コネクタ部３３は、延長ケーブル２０の第２コネクタ部２３と同様の形状であるとしたが、図１６に示すように内部の回路構成も同様である。これは、第２コネクタ部２３と第４コネクタ部３３は製造上、同一の部品としても良いことを意味し、製造の効率化を実現する。
なお第３コネクタ部３３における端子ＰＳ３は、コネクタ３１ａの特定の端子であり、ネクタ２３ａの端子ＰＳ１と接合される。また第４コネクタ部３３におけるコネクタ３３ａの端子ＰＳ１は、同一構成である第２コネクタ部２３のコネクタ２３ａの端子ＰＳ１と同じ端子を示している。これらについては後述する。
【０１１５】
以上の図１５、図１６からわかるように、延長状態、追加延長状態のいずれの場合も、本体部２とカメラヘッド部３の間で必要な信号伝送が行われるようにラインＬＮが形成されている。
即ち画像信号ラインＬＮ１により、イメージセンサ３００で得られる画像信号が本体部２に伝送される。延長状態、追加延長状態の場合、３ｍ、６ｍといった伝送経路長が発生するが、このため微弱な信号を前処理部２４や後／前処理部２５により増幅して伝送する構成となることで、適切な信号伝送が行われる。
【０１１６】
画像信号ラインＬＮ２により、モニタ画像信号を伝送することができる。即ち本体部２のビデオ出力端子１４ａとベースプレート５０のビデオ入力端子５３をケーブルＣ（図８参照）により接続する。また第１コネクタ部２１のビデオ出力端子１２１にモニタ装置を接続する。これにより信号処理部２０２が生成したモニタ画像信号をモニタ装置に送ることができ、カメラヘッド部３側のユーザがモニタ装置によりスルー画を確認できる。
なお、画像信号ラインＬＮ２はモニタ画像信号の伝送に限られず、各種の画像信号伝送に用いることができる。つまりビデオ入力端子５３に入力する画像信号をカメラヘッド部３側に伝送できるものである。
【０１１７】
制御ラインＬＮ３，ＬＮ４では、制御部２００とカメラヘッド部３間のクロック信号や制御信号の伝送が実行される。この場合バッファーアンプ２６、２７、３６、３７により適切な信号増幅も行われ、伝送信号は適切に相手側に受信される。
従ってカメラヘッド部３は本体部２から切り離された状態でも、図１４の基本状態の場合と同様に、制御部２００によって動作制御される。
なお、これによりカメラヘッド部３は別途ＣＰＵ等の制御装置を設ける必要がないものとなり、構成を簡略化し、またコストアップを招かない。
【０１１８】
アサイナブルボタンラインＬＮ６は、図１５、図１６に示すようにアサイナブルボタン３０２，５２をワイヤードオア接続としたうえで制御部２００に接続される。
アサイナブルボタン３０２，５２は、それぞれ例えば図示のようにアサイナブルボタンラインＬＮ６とグランドの接続をオン／オフするスイッチにより構成される。
すると、制御部２００は、アサイナブルボタンラインＬＮ６の接続端子が、グランドレベルになることで、アサイナブルボタン３０２，５２のいずれかが操作されたことを検知できる。
従ってカメラヘッド部３のアサイナブルボタン３０２に割り当てられた操作は、延長状態や追加延長状態において、アサイナブルボタン５２を用いて本体部２側のユーザが行うことができるようになる。
【０１１９】
電源ラインＬＮ５により、電源回路２０５からの電源電圧Ｖ１が、カメラヘッド部３、延長ケーブル２０、追加延長ケーブル３０に供給される。
これによりカメラヘッド部３、延長ケーブル２０、追加延長ケーブル３０が独自にバッテリー等を備える必要はない。
また電源ラインＬＮ５が延長ケーブル２０や追加延長ケーブル３０内に設けられることで、電源用のケーブルを別途用意する必要はなく、シンプルなケーブル構成とすることができる。つまり複数本のケーブルを用いる必要はない。
【０１２０】
外部電源ラインＬＮ７により、本体部２側（ベースプレート５０）からカメラヘッド部３側（第１コネクタ部２１）に、外部電源電圧を供給できる。
これによりカメラヘッド部３で独自に外部電源を用意して電源供給を受けるようにする必要はない。
また電源ラインＬＮ７が延長ケーブル２０や追加延長ケーブル３０内に設けられることで、外部電源用のケーブルを別途用意する必要はなく、シンプルなケーブル構成とすることができる。つまりこれによっても複数本のケーブルを用いる必要は生じない。
なお外部電源ラインＬＮ７により得られる電源電圧は、どのような装置に使用しても良いことは言うまでもない。例えば撮像動作に関する装置の電源とするほか、照明装置、通信装置、画像編集装置、情報処理装置、冷却装置、扇風機、暖房機などの電源とすることもできる。
【０１２１】
ところで以上の例では、延長状態又は追加延長状態とする場合は、本体部２にベースプレート５０を装着し、ベースプレート５０により延長ケーブル２０や追加延長ケーブル３０が接続されるようにしている。
このベースプレート５０には、次のような機能があることになる。
【０１２２】
・延長ケーブル２０の接続に対応していない構造の本体部２に対して、延長ケーブル２０（又は追加延長ケーブル３０）を接続可能として、カメラヘッド部３の延長使用を実現する。
・本体部２のコネクタ２ａを延長ケーブル２０又は追加延長ケーブル３０にコネクタ２３ａ，３３ａに対応させるため、中継のためのコネクタ５０ａ、５０ｂを配置する。
・カメラヘッド部３が本体部２から取り外されることで、本体部２の前面側が露出されてしまう。ベースプレート５０は、この部分をカバーすることになり、装置の美観を維持するとともに、本体部２の内部機構に対する保護や塵埃の混入防止効果が得られる。
・カメラヘッド部３を離間して使用する場合に適したアサイナブルボタン５２の配置が可能となる。
・カメラヘッド部３を離間して使用する場合に適した外部電源供給のための外部電源入力端子５１の配置が可能となる。
・カメラヘッド部３を離間して使用する場合に適したモニタ画像信号の送信のためのビデオ入力端子５３の配置が可能となる。
【０１２３】
このようにベースプレート５０を設けることで、延長状態、追加延長状態での使用に適した機能構成を、本体部２に設けることなく実現・配置できることになる。
【０１２４】
＜６．増幅及び信号補償処理＞
ここで、前処理部２４、及び後／前処理部２５、３５について説明する。
上述のように前処理部２４は、例えば約３ｍのケーブル２２の伝送時の画像信号の減衰を考慮してプリエンファシスを行うものである。例えば図１７Ａに画像信号波形を示している。イメージセンサ３００からの画像信号は、例えばデジタルデータとしてのＲＡＷ画像データであるが、このＲＡＷ画像データはキャリアで変調されて伝送される。図ではこの信号についてのアイパターンにより画像信号波形を示している。
図１７Ａのような画像信号がカメラヘッド部３から第１コネクタ部２１に供給された場合、前処理部２４は図１７Ｂのように信号増幅する。例えば波形振幅として６００ｍＶｐ−ｐを１１００ｍＶｐ−ｐなどとするように増幅する。
これにより、ケーブル伝送時の減衰によっても、第２コネクタ部２３側で十分な振幅レベルが得られるようにしている。
【０１２５】
後／前処理部２５については、延長状態では、続いて本体部２に画像信号を伝送し、一方、追加延長状態では、続いて追加延長ケーブル３０に画像信号を伝送することになる。
そして追加延長ケーブル３０に伝送する場合は、さらに約３ｍのケーブル伝送における減衰を考慮しなければならない。
そのため後／前処理部２５は、延長状態と追加延長状態で処理内容を切り替えるようにしている。
【０１２６】
後／前処理部２５は、例えば図１８のように構成されている。
例えば後／前処理部２５は、補償回路１２２、スイッチ１２３、プリエンファシス回路１２４、スイッチ制御回路１２５を有する。
補償回路１２２は、ケーブル伝送により劣化した画像信号の補償処理、例えば周波集特性の補償処理を行う回路（イコライザ）である。
画像信号ラインＬＮ１により伝送されてきた画像信号は、補償回路１２２で補償処理が施されてスイッチ１２３に供給される。
【０１２７】
スイッチ１２３は端子ｔａ，ｔｂが切替えられるスイッチで、端子ｔａはプリエンファシス回路１２４に接続され、端子ｔｂはプリエンファシス回路１２４をバイパスする経路に接続されている。
【０１２８】
コネクタ２３ａがベースプレート５０のコネクタ５０ａに接続されている延長状態では、スイッチ１２３で端子ｔｂが接続され、補償処理が施された画像信号はそのままコネクタ部２３ａからベースプレート５０側（本体２側）に出力される。
一方、コネクタ２３ａが追加延長ケーブル３０のコネクタ３１ａに接続されている追加延長状態では、スイッチ１２３で端子ｔａが接続され、補償処理が施された画像信号は、さらにプリエンファシス回路１２４でプリエンファシス処理が施されて、コネクタ部２３ａから追加延長ケーブル３０に出力される。
つまり、追加延長ケーブル３０による減衰に対応することが必要な場合に、プリエンファシス回路１２４の処理が実行されるように構成されている。
【０１２９】
このような処理の切替をおこなうために、スイッチ制御回路１２５がスイッチ１２３を切り替える。
スイッチ制御回路１２５は、コネクタ２３ａにおける特定端子ＰＳ１の電圧状態により、スイッチ１２３の接続端子を制御する構成とされている。
【０１３０】
図１５に示すように、延長状態では、コネクタ２３ａにおける特定端子ＰＳ１に対しては、ベースプレート５０のコネクタ５０ａの特定端子ＰＳ２が接合する。この特定端子ＰＳ２にはベースプレート５０内の配線により固定的に「Ｌ」レベルの電圧が与えられている（例えば特定端子ＰＳ２はグランドに接続されている）。
また図１６に示すように、追加延長状態では、コネクタ２３ａにおける特定端子ＰＳ１に対しては、追加延長ケーブル３０の第３コネクタ部３１におけるコネクタ３１ａの特定端子ＰＳ３が接合する。この特定端子ＰＳ３には第３コネクタ部３１内の配線により固定的に「Ｈ」レベルの電圧が与えられている（例えば特定端子ＰＳ３は所定電圧ラインに接続されている）。
【０１３１】
従って、後／前処理部２５におけるスイッチ制御回路１２５は、特定端子ＰＳ１の端子電圧が「Ｌ」であればスイッチ１２３の端子ｔｂを接続し、特定端子ＰＳ１の端子電圧が「Ｈ」であればスイッチ１２３の端子ｔａを接続するように構成されていればよい。
このような構成は簡易なハードウェア回路やロジック回路等により可能である。
なお、「Ｈ」「Ｌ」の論理は一例であり、逆でも良いことは当然である。
【０１３２】
ここで、第４コネクタ部３３は第２コネクタ部２３と同一部品でも良いと述べたが、その場合は、第４コネクタ部３３にも後／前処理部３５が搭載されることになる（図１６参照）。
この場合、後／前処理部３５のスイッチ制御回路１２５は、コネクタ３３ａにおける特定端子ＰＳ１（コネクタ２３ａの特定端子ＰＳ１と同じ端子）の電圧状態に応じてスイッチ１２３を切り替えることになる。
そして追加延長ケーブル３０が用いられるのは追加延長状態であって、第４コネクタ部３３はベースプレート５０に接続される。この場合、特定端子ＰＳ１に接合する特定端子ＰＳ２にはＬレベルが与えられているため、スイッチ制御回路１２５はスイッチ１２３の端子ｔｂを接続し、プリエンファシス回路をバイパスして画像信号をコネクタ３３ａから出力する。
つまり、追加延長ケーブル３０の第４コネクタ部３３が第２コネクタ部２３と同一部品であっても動作に支障はないことになる。
【０１３３】
また、第２コネクタ部２３、第４コネクタ部３３は、以上のように信号処理の切替を行うため、例えばＣＰＵ等の制御装置を設けて接続判定に応じた制御を行う必要はなく、きわめて簡易な回路構成で廉価な構造体として実現できる。
【０１３４】
なお、考え方としては、図１６の状態で第３コネクタ部３１に前処理部（プリエンファシス回路）を設けるようにすれば、第２コネクタ部２３では後処理部（補償回路）のみを設ければ良く、その場合は、上述のような切替は必要ないことになる。
但し、第２コネクタ部２３にプリエンファシス回路１２４も設けることには、優位点がある。第２コネクタ部２３と第３コネクタ部３１の接続界面でコネクタ２３ａ，３１ａの端子接続が行われるが、このコネクタ接続部分は比較的信号減衰が大きい。特にＢｔｏＢコネクタの場合は、界面での信号減衰が大きい。そして追加延長状態の場合、コネクタ接続部分が多くなり、これによって信号減衰の面で不利が生ずる。
そこで、コネクタ２３ａ，３１ａの接続点に至る前の段階で、プリエンファシス回路１２４により、それらの接点の増加による減衰分も想定した増幅を行う。このようにすることで、追加延長状態でコネクタ接続点が増える場合でも、最終的に本体部２に供給される画像信号の信号減衰をなるべく抑えることができる。この点から、後／前処理部２５を設け、接続状態によって信号処理を切り替えることが望ましい。
【０１３５】
なお、図１６のように後／前処理部２５を設けることに加えて、さらに第３コネクタ部３１内にプリエンファシス回路（前処理部）を設けるようにすることも考えられる。この場合、更に最適化された増幅効果を期待する事ができる。
なお、図１８の後／前処理部２５の構成は、それぞれが異なるハードウェア回路部として構成されることに限られず、例えば１つの信号処理プロセッサとしてのデバイスで実現できる。例えば補償処理機能、プリエンファシス処理機能を備え、それらの処理を選択できるデバイスを用いることで、実現可能である。
【０１３６】
＜７．クロック制御＞
制御部２００によるクロック制御について説明する。
上記の通り制御部２００は、制御ラインＬＮ３により、制御信号やクロック信号を送信するが、制御部２００は、基本状態と延長状態又は追加延長状態においてクロック信号の周波数を変更する制御を行う。
これは、延長ケーブル２０（或いは延長ケーブル２０と追加延長ケーブル３０）によって伝送路の経路長が長くなり、それによって信号遅延が大きくなると、高い周波数の場合にデータ受信が適切にできなくなる可能性が高くなるためである。
【０１３７】
例えば延長状態において基本状態と同じ周波数のクロック信号を伝送した場合の波形を図１９Ａに示す。図では制御信号としてのデータ信号ＤＴの波形とクロック信号ＣＫを示している。
延長状態や追加延長状態では、例えば３ｍや６ｍといった経路長の著しい増大があり、制御ラインＬＮ３、ＬＮ４の往復で考えると６ｍや１２ｍといった伝送路が形成される。
このような長い伝送路での遅延により、図示するようデータ信号ＤＴとクロック信号ＣＫの同期性が乱れ、これによってカメラヘッド部３側で適切なデータデコード（制御信号の受信復号）ができなくなったり、制御部２００側でカメラヘッド部３の状態を的確に認識できなくなる場合がある。
【０１３８】
そこで、延長状態や追加延長状態では、制御部２００は、送信するクロック信号ＣＫの周波数を低下させる。
この場合の信号波形を図１９Ｂに示すが、データ信号ＤＴとクロック信号ＣＫの同期性が保たれており、この場合はカメラヘッド部３側で適切な制御信号の復号が可能となる。
クロック信号ＣＫの周波数をどの程度低下させるかは、伝送路の長さに応じた遅延時間と周波数の関係において設定されればよい。
【０１３９】
制御部２００は図２０に示す処理を行うことになる。
制御部２００はステップＳ１０１で、現在ベースプレート５０が接続されているか否かを判定する。
【０１４０】
このステップＳ１０１でのベースプレート５０の接続確認は次のように実現できる。
図１５や図１６に示すように、ベースプレート５０のコネクタ５０ｂにおいて特定端子ＰＳ４を用い、この特定端子ＰＳに例えば「Ｌ」レベル電圧を印加する。例えば特定端子ＰＳ４をグランドに接続する。
この特定端子ＰＳ４には、本体部２のコネクタ２ａの特定端子ＰＳ５が接合する。
なお、特定端子ＰＳ４、ＰＳ５としては、他の信号伝送に用いられない端子を利用する。
【０１４１】
制御部２００は、コネクタ２ａの特定端子ＰＳ５を特定の入力ポートに接続しておき、その端子状態を監視する。
ベースプレート５０が接続されていない場合、端子状態はオープンとなる。
ベースプレート５０が接続されると、端子状態はＬレベルとなる。
これにより制御部２００はベースプレート５０の接続有無を確認できる。
【０１４２】
ベースプレート５０が接続されていなければ、制御部２００は図２０のステップＳ１０２に進み、第１クロックモードに設定する。
つまりカメラヘッド部３が本体部２に直接取り付けられている基本状態であるため、クロック周波数を高い値に設定する。
【０１４３】
一方、ベースプレート５０が接続されていれば、制御部２００はステップＳ１０３に進み、第２クロックモードに設定する。
つまりカメラヘッド部３が離間されてベースプレート５０が取り付けられ、即ち延長ケーブル２０（又は追加延長ケーブル３０）が本体部２に接続される延長状態又は追加延長状態であるため、クロック周波数を低い値に設定する。
【０１４４】
制御部２００は、例えば以上の処理を行うことで、基本状態か、延長状態（又は追加延長状態）かに応じてクロック周波数が切り替えられる。
基本状態の場合は、高いクロック周波数により、制御機能は応答性良く実行される。延長状態又は追加延長状態では、クロック周波数が下げられることで、若干制御機能の応答性は抑えられるが、伝送路の長大化にもかかわらず安定した制御動作が実現されることになる。
また、このように対応することで、カメラヘッド部３側にマイクロコンピュータ等の制御装置を設けることなく、適切な動作が実現できることにもなる。
なお、クロック周波数をどのように切り換えるかは他にも考えられる。
例えば基本状態と延長状態では高い周波数、追加延長状態では低い周波数としてもよい。
また基本状態で最も高い周波数、延長状態で中間の周波数、追加延長状態で最も低い周波数の３段階に切り換えるようにすることも考えられる。
【０１４５】
ところで、カメラヘッド部３側にマイクロコンピュータ等を配置せず、本体部２の制御により動作を行う構成とすることで、複数の撮像装置１の並列動作にも好適となる。
例えば３Ｄ（three-dimensional）撮影は、２台の撮像装置１の本体含めた同期が不可欠となるが、各撮像装置１がそれぞれ延長状態（又は追加延長状態）でも、各撮像装置１の本体部２の制御部２００が全体の制御を行っているため、制御部２００同士の同期構造をそのまま利用できる。
つまり基本状態で２台の撮像装置１を同期させる機能があれば、そのまま２台が延長状態とされていても、同様に同期動作ができることになる。
従ってカメラヘッド部３が延長された状態で、通常と同じ同期運用ができ、３Ｄ撮影などの際に非常に便利なものとなる。
【０１４６】
なお、複数台の撮像装置１で同期運用を行う場合、一方の撮像装置１からの制御信号やクロック信号を、他の撮像装置１が受信し、同期するようにしてもよいし、あるマスター機器からの同期信号に従って、複数の撮像装置１が同期動作を行うようにすることもできる。
【０１４７】
＜８．接続状態による電源制御＞
本実施の形態の撮像装置１では、延長状態（３ｍ延長）、追加延長状態（６ｍ延長）を可能とするが、さらなる延長を禁止するようにしている。
即ち２本の追加延長ケーブル３０を用いることで、本体部２、ベースプレート５０、追加延長ケーブル３０、追加延長ケーブル３０、延長ケーブル２０、カメラヘッド部３という９ｍ延長の連結が可能になってしまうが、その場合、本体部２（カメラシステム）を起動するための電源をオンとできないようにする。
【０１４８】
これは、あまりに伝送経路長が長くなると、伝送信号の劣化が著しくなり、上述のクロック周波数の事情もあって、安定した動作ができなくなる恐れがあるためである。
【０１４９】
そこで制御部２００は図２１のような処理を行う。
制御部２００は電源オン操作を検知したら処理をステップＳ２０１からＳ２０２に進め、延長接続状態は適正か否かを判定する。これは、基本状態、延長状態、及び追加延長ケーブル３０を１本用いての追加延長状態であれば適正とし、それ以上長くするような延長状態を不適正とするものである。この判定手法については後述する。
【０１５０】
制御部２００は、適正状態と判定した場合は、ステップＳ２０３に進んで電源オン制御を行う。即ち電源回路２０５による電源電圧供給を開始させる。
一方、制御部２００は、適正状態ではないと判定した場合は、ステップＳ２０４に進んで接続エラーとし、電源オン制御を行わない。つまりユーザが電源オン操作を行ったとしても、電源オンとならない。
なお、この場合、接続エラー処理として、接続状態が不適切であることで電源オンとしていないことを表示又は音声等によりユーザに告知するようにすると良い。
【０１５１】
このようにすることで、例えば９ｍ延長や１２ｍ延長などの状態で使用されることが防止でき、そのような使用による動作の不具合を発生させないようにすることができる。
【０１５２】
ステップＳ２０２での適正な接続状態か否かの判断のための構成を図２２，図２３で説明する。
図２２Ａは本体部２とカメラヘッド部３による基本状態を示している。
接続状態検出のために、ラインＬＮ８，ＬＮ９が用いられる。
ラインＬＮ８は、コネクタ２ａの端子ＰＳ１０と、コネクタ３ａの端子ＰＳ２０を介して形成されるラインである。
またコネクタ２ａでは、端子ＰＳ２０と端子ＰＳ２１が電気的に接続されている。
コネクタ３ａの端子ＰＳ２１はコネクタ２ａの端子ＰＳ１１は接合する。そしてこの端子ＰＳ２１，ＰＳ１１を介するラインＬＮ９は、グランドラインとされる。
なおコネクタ２ａでは、端子ＰＳ１１と端子ＰＳ１２が電気的に接続される。端子ＰＳ１２に対応するコネクタ３ａの端子ＰＳ２２はオープンとされている。
また、ラインＬＮ８は、抵抗Ｒを介して電圧Ｖ１０のラインに接続されている。
制御部２００は、ラインＬＮ８を或るポートＰＴに接続している。
【０１５３】
この図２２Ａの状態では、ラインＬＮ８，ＬＮ９により本体部２とカメラヘッド部３でグランドループが形成されることになる。
そして制御部２００のポートＰＴの電圧はグランドレベルとなる。
【０１５４】
図２２Ｂは本体部２と延長ケーブル２０とカメラヘッド部３による延長状態を示している。
この場合、コネクタ２ａの端子ＰＳ１０と、コネクタ２３ａの端子ＰＳ３０と、コネクタ２１ａの端子ＰＳ４０と、コネクタ３ａの端子ＰＳ２０を介してラインＬＮ８が形成される。
またコネクタ３ａの端子ＰＳ２１と、コネクタ２１ａの端子ＰＳ４１と、コネクタ２３ａの端子ＰＳ３１と、コネクタ２ａの端子ＰＳ１１を介してラインＬＮ９が形成される。
なお端子ＰＳ１２と接合する延長ケーブル２０のコネクタ２３ａの端子ＰＳ３２はオープンとされている。また端子ＰＳ２２と接合するコネクタ２１ａの端子ＰＳ４２もオープンとされている。
この図２２Ｂの状態も、ラインＬＮ８，ＬＮ９によりグランドループが形成され、制御部２００のポートＰＴの電圧はグランドレベルとなる。
【０１５５】
図２３Ａは本体部２と追加延長ケーブル３０と延長ケーブル２０とカメラヘッド部３による追加延長状態を示している。
この場合、コネクタ２ａの端子ＰＳ１０と、コネクタ３３の端子ＰＳ５０と、コネクタ３１ａの端子ＰＳ６０と、コネクタ２３ａの端子ＰＳ３０と、コネクタ２１ａの端子ＰＳ４０と、コネクタ３ａの端子ＰＳ２０を介してラインＬＮ８が形成される。
ここで追加延長ケーブル３０では、端子ＰＳ１１と接合する端子ＰＳ５１はオープンであり、端子ＰＳ１２と接合する端子ＰＳ５２は、端子ＰＳ６１と接続されている。この端子ＰＳ６１は端子ＰＳ３１と接合する。また端子ＰＳ３２と接合する端子ＰＳ６２はオープンである。
すると、ラインＬＮ９は、端子ＰＳ２１、端子ＰＳ４１、端子ＰＳ３１、端子ＰＳ６１、端子ＰＳ５２、端子ＰＳ１２を介して形成されることになる。
この図２３Ａの状態でも、ラインＬ８，Ｌ９によりグランドループが形成され、制御部２００のポートＰＴの電圧はグランドレベルとなる。
【０１５６】
図２３Ｂは追加延長ケーブル３０を２本用いた、許容されない接続状態を示している。
この場合、端子ＰＳ１０、端子ＰＳ５０、端子ＰＳ６０、端子ＰＳ５０、端子ＰＳ６０、端子ＰＳ３０、端子ＰＳ４０、端子ＰＳ２０を介してラインＬＮ８が形成される。
一方で、カメラヘッド部３の端子ＰＳ２１からは、端子ＰＳ４１、端子ＰＳ３１、端子ＰＳ６１、端子ＰＳ５２と接続されるが、この端子ＰＳ５２に接合する端子６２はオープンであり、ラインＬＮ９が形成されない。
従ってこの図２３Ｂの状態ではラインＬＮ８，ＬＮ９によりグランドループが成立せず、制御部２００のポートＰＴの電圧は、電圧Ｖ１０によるプルアップレベル（Ｈレベル）となる。
【０１５７】
即ち制御部２００はポートＰＴの電圧レベル（Ｈ／Ｌ）を検出することで、ステップＳ２０２の判定を行うことができる。
なお、さらに追加延長ケーブル３０が３本、４本と用いられたような場合も、上記構成によりグランドループが形成されず、不適切な接続状態を検出することができる。
【０１５８】
＜９．まとめ及び変形例＞
以上実施の形態について説明してきたが、本実施の形態では以下の効果が得られる。
実施の形態のカメラシステム（撮像装置１）は、画像信号を生成するイメージセンサ３００を有するカメラヘッド部３と、画像信号に対して信号処理を行う本体部２を備える。そして第１のケーブルを介して第２のケーブルは介さずにカメラヘッド部３と本体部２とを接続する第１の接続状態（延長状態）、または第１のケーブルと第２のケーブルを介してカメラヘッド部３と本体部２とを接続する第２の接続状態（追加延長状態）のいずれかを判定する判定部と、判定部の判定結果に応じて少なくとも第１のケーブルを介してカメラヘッド部３と本体部２との間で画像信号の伝送を行う伝送部とを備える。
より具体的には、撮像装置１としては、一端側がカメラヘッド部３に接続可能で、他端側が本体部２側と追加延長ケーブル３０の両方に対応していずれかに接続可能とされる延長ケーブル２０と、延長ケーブル２０、本体部２、追加延長ケーブル３０についての接続状態を判定する判定部（後／前処理部２５や制御部２００）と、判定部の判定結果に応じて画像信号の伝送を行う伝送部（後／前処理部２５や制御部２００）を備える。
このカメラシステムによれば、延長状態（３ｍ延長）、追加延長状態（６ｍ延長）のそれぞれを撮影時の事情に応じて使い分けることができる。
延長状態や追加延長状態では、伝送経路長が著しく変動する。これにより伝送中における信号レベル、信号波形、周波数特性などの各種の変化の状況が異なる。そこで伝送信号に関する処理において判定結果に応じた切替を行うようにする。これにより各部の接続状態によらずに常に適切な伝送ができる。
なお、もちろん延長ケーブル３０や追加延長ケーブル３０の長さが３ｍというのは一例にすぎない。他の長さでもよい。
【０１５９】
実施の形態では、判定部が第１のケーブルが、第２のケーブルに接続されているのか否かにより第１の接続状態であるか第２の接続状態であるかを判定するものとした。即ち判定部（判定部として機能する後／前処理部２５のスイッチ制御回路１２５）は、延長ケーブル２０の他端側（第２コネクタ部２３）が、本体部２側または追加延長ケーブル３０のいずれに接続されているのかを判定する例を述べた。
このカメラシステムの延長状態（３ｍ延長）では、延長ケーブル２０で伝送された信号は、本体部２に入力されるが、追加延長状態（６ｍ延長）では、延長ケーブル２０で伝送された信号は、さらに追加延長ケーブル３０を介して本体部２に入力される。特に３ｍという信号伝送の観点では長いケーブルを用いることで、延長状態と追加延長状態では、信号の減衰や周波数特性変動という点が異なる。そこで、接続状態に応じて信号処理を切り換えることで、それぞれの場合に適切な信号伝送が実現されるようにしている。
【０１６０】
実施の形態では、判定部が、延長ケーブル２０が追加延長ケーブルに接続されている追加延長状態（第２の接続状態）と判定した場合、伝送部（伝送部として機能する後／前処理部２５のプリエンファシス回路１２４）は、画像信号を増幅して本体部２に向けて伝送する。
本体部２に向けて信号を伝送する後／前処理部２５は、追加延長状態（６ｍ延長）の場合では、さらに３ｍの伝送が必要となる。そこで追加延長ケーブル３０が接続されている場合は、その追加延長ケーブル３０での減衰を考慮して予め増幅して伝送する。これにより、本体部２に対して大きな減衰のない信号を伝送できるようになる。
【０１６１】
実施の形態では、判定部（スイッチ制御回路１２５）は、延長ケーブル２０の他端側である第２コネクタ部２３の特定端子ＰＳ１の論理レベルにより、延長ケーブル２０のコネクタ２３ａが、本体部２側（ベースプレート５０）または追加延長ケーブル３０のいずれに接続されているのかを判定する例を述べた。つまり第１の接続状態（延長状態）であるか第２の接続状態（追加延長状態）であるかを判定する。
特定端子ＰＳ１は、未接続のオープン状態に対して、本体部２側の接続時と追加延長ケーブル３０の接続時において、異なる論理値が得られるようにしている。これにより、例えば機械的な接続識別構造を採らずに、コネクタ２３ａを利用して容易に接続判定ができる。
【０１６２】
実施の形態では本体部２に装着可能なベースプレート５０を備え、延長ケーブル２０の第２コネクタ部２３はベースプレート５０に対して着脱可能とされている。そしてベースプレート５０は特定端子ＰＳ１に対して第１の論理レベル（例えばＬレベル）の電圧を与える構成とし、追加延長ケーブル３０は特定端子ＰＳに対して第２の論理レベル（例えばＨレベル）の電圧を与える構成とする例を挙げた。
本体部２に延長ケーブル２０又は追加延長ケーブル３０を取り付ける構造体としてベースプレート５０を設ける場合に、延長ケーブル２０の第２コネクタ部２３のコネクタ２３ａは、ベースプレート５０か追加延長ケーブル３０のいずれかに接続されることになる。そこで、追加延長ケーブル３０のコネクタ３１ａの特定端子ＰＳ３と、ベースプレート５０のコネクタ５０ａの特定端子ＰＳ２とを介して、コネクタ２３ａの特定端子ＰＳ１に、「Ｈ」又は「Ｌ」の論理レベルの電圧が供給されるようにした。これにより、本体部２が特に延長ケーブル接続対応をとっていない構造とされていても、ベースプレート５０により延長ケーブル接続が可能となり、さらに延長ケーブル２０におけるコネクタ２３ａの端子を用いた接続判定が実現できることになる。
【０１６３】
実施の形態では、伝送部（後／前処理部２５）は、延長ケーブル２０の第２コネクタ部２３内に形成されている例を挙げた。つまり伝送部は、第２コネクタ部２３から、画像信号を接続された本体部２もしくは追加延長ケーブル３０に伝送する伝送部であるとする。
これにより伝送部は、延長ケーブル２０により伝送されてきた信号を本体部２へ伝送する場合と、追加延長ケーブル３０へ伝送する場合とで信号処理を切り替える構成であればよい。
特に追加延長ケーブル３０へ伝送する場合は、第２コネクタ部２３のコネクタ２３ａと第３コネクタ部３１のコネクタ３１ａの接続端子が伝送経路に含まれるが、このコネクタ部分の信号減衰と、３ｍの追加伝送ケーブルでの信号減衰の両方を想定した増幅を行うようにすることができる。つまり、増幅をコネクタ３１ａで受けた後の第３コネクタ部３１内で行うよりも有利なものとなる。
【０１６４】
実施の形態では、伝送部としての後／前処理部２５は、延長ケーブル２０の第２コネクタ部２３内に形成されており、ケーブル伝送による信号特性変動に対する補償処理を行う補償処理部（補償回路１２２）と、ケーブル伝送による減衰に対応して予め信号を増幅する処理を行う増幅処理部（プリエンファシス回路１２４）とを有する（図１８参照）。そして伝送部は、延長ケーブル２０が本体部２側に接続されていると判定された場合、補償回路１２２の処理を実行して伝送信号を出力し、延長ケーブル２０が追加延長ケーブル３０に接続されていると判定された場合、補償回路１２２とプリエンファシス回路１２４の処理を実行して伝送信号を出力するものとした。
伝送部（後／前処理部２５）が第２コネクタ部２３内に設けられることから、延長ケーブル２０のケーブル２２を伝送されてきた信号に対する補償処理、即ち周波数特性補償のための波形整形（イコライジング）等の処理を行うことが好適である。またさらに追加延長ケーブル３０に伝送することを考えると、追加延長ケーブル３０での減衰を想定した増幅（プリエンファシス）を行うことが好適である。そこで補償回路１２２やプリエンファシス回路１２４を備えるようにしている。
ここで、プリエンファシス回路１２４の処理は、追加延長ケーブル３０に接続の場合に必要になるが、スイッチ回路１２３をスイッチ制御回路１２５が制御することにより、延長ケーブル２０が本体部側（つまりベースプレート５０）に接続されていると判定した場合には、補償回路１２２の処理を実行してプリエンファシス回路１２４の処理を経ずに伝送信号を出力するようにしている。これにより、接続状態に適した信号処理が行われる。
【０１６５】
実施の形態では、判定部が、延長ケーブル２０の第２コネクタ部２３内に形成されている例を述べた。
例えばスイッチ制御回路１２５が判定部として設けられる。これにより第２コネクタ部２３内でハードウェアによる簡易な構成で伝送部（後／前処理部２５）の処理の切替が可能になる。
【０１６６】
実施の形態では、本体部２は、判定部（判定部として機能する制御部２００）によって本体部２にカメラヘッド部３が直接装着されている第３の接続状態（基本状態）と判定された場合は、第１の接続状態（延長状態）又は第２の接続状態（追加延長状態）と判定された場合よりもクロック信号の周波数を高く設定し、カメラヘッド部３に向けてクロック信号を伝送する例を挙げた。
即ちカメラヘッド部３は本体部２に着脱可能とされ、本体部２は、カメラヘッド部３に向けてクロック信号を伝送し、判定部（判定部として機能する制御部２００）は、本体部２が延長ケーブル２０もしくは追加延長ケーブル３０に接続されているか、本体部２にカメラヘッド部３が装着されているかを判定する。そして本体部２は、本体部２が延長ケーブル２０もしくは追加延長ケーブル３０に接続されている場合は、本体部２にカメラヘッド部３が装着されている場合よりもクロック信号ＣＫの周波数を低く設定するようにした。
即ちカメラヘッド部３が本体部２に装着されている状態と、カメラヘッド部３が本体部２と離間されて延長ケーブル２０が用いられている状態では、クロック信号ＣＫの周波数を切り替える。
カメラヘッド部３が本体部２に装着されている基本状態と、延長状態又は追加延長状態では、制御信号等のデータ及びクロック信号ＣＫの伝送経路長が異なることになる。延長状態や追加延長状態で伝送経路長が長くなる場合、データの遅延が生じ、クロック信号ＣＫの周波数との関係で制御信号伝送の安定性が悪化する場合がある。そこで延長状態や追加延長状態ではクロック周波数を低下させる。これにより安定した制御信号の伝送を実現する。
また判定部（判定部として機能する制御部２００）によって第１の接続状態と判定された場合は、第２の接続状態と判定された場合よりもクロック信号の周波数を低く設定し、カメラヘッド部３に向けて前記クロック信号を伝送するようにしてもよい。
即ち実施の形態で述べたように、例えば基本状態と延長状態では高い周波数、追加延長状態では低い周波数とすることや、基本状態で最も高い周波数、延長状態で中間の周波数、追加延長状態で最も低い周波数の３段階に切り換えるようにすることも考えられる。これにより安定した制御信号の伝送を実現することもできる。
【０１６７】
実施の形態では、クロック信号ＣＫの制御のための判定部（制御部２００）が本体部２に設けられる例を挙げた。即ちこの場合の判定部は、本体部２内で、カメラヘッド部３や延長ケーブル２０等の接続状態を検出する構成とする。これにより本体部２内で、基本状態か、延長状態（又は追加延長状態）かを検出し、クロック制御を適切に行うことができる。
【０１６８】
実施の形態では、ベースプレート５０が本体部２のコネクタ２ａの特定端子ＰＳ５に対して特定の論理レベルの電圧を与える構成とされ、判定部（制御部２００）は、特定端子ＰＳ５の電圧検知により、本体部２が延長ケーブル２０もしくは追加延長ケーブル３０に接続される状態を判定するようにした。
本体部２のコネクタ２ａは、ベースプレート５０のコネクタ５０ｂかカメラヘッド部３のコネクタ３ａのいずれかに接続されることになる。ここで、ベースプレート５０からコネクタ２ａの特定端子に、「Ｈ」又は「Ｌ」の特定の論理レベルの電圧が供給されるようにする。これにより、判定部として機能する制御部２００は、本体部２にベースプレート５０が装着されていること（つまり延長ケーブル２０又は追加延長ケーブル３０が用いられること）、或いは本体部２にカメラヘッド部３が直接装着されていることを検出できる。これによって適切なクロック周波数の切替制御が実現される。
【０１６９】
実施の形態では、本体部２は、さらにカメラヘッド部３の駆動電力（電源電圧Ｖ１）をカメラヘッド部３に向けて伝送するようにした。
例えばカメラヘッド部３が本体部２に装着されている状態と同様に、カメラヘッド部３が本体部２と離間されて延長ケーブル２０が用いられている状態でも、カメラヘッド部３に対して電源ラインＬＮ５により電力供給を行うようにする。
これにより、カメラヘッド部３が独立した電源機能を備えなくてもよく、カメラヘッド部３は、本体部２に装着されている基本状態と、延長状態又は追加延長状態で、同じ電源供給状態で動作可能となる。
【０１７０】
実施の形態では、本体部２が画像信号に対して行う信号処理の１つは、モニタ画像信号を生成する処理であり、本体部２は、モニタ画像信号をカメラヘッド部３側に向けて伝送可能とされている。即ち本体部で生成したモニタ画像信号を本体部２から離間したカメラヘッド部３側に伝送してモニタ画像を見ることができるようにする。
これにより、延長ケーブル２０や追加延長ケーブル３０によりカメラヘッド部３を本体部２から離れた位置で使用する場合でも、カメラヘッド部３側のユーザが、モニタ画像を確認でき、適切な被写体撮像を行うことができる。
【０１７１】
実施の形態では、本体部２のビデオ出力端子１４ａから出力されるモニタ画像信号は、ベースプレート５０に設けられたビデオ入力端子５３に入力されることで、ベースプレート５０から少なくとも延長ケーブル２０を介してカメラヘッド部３側に伝送される構成とした。
ベースプレート５０にはビデオ入力端子５３が設けられ、また本体部２には接続端子１４の１つとしてビデオ出力端子１４ａが設けられている。また延長ケーブル２０，追加延長ケーブル３０には、モニタ画像信号を伝送する信号ラインＬＮ２が設けられている。これによりカメラヘッド部３側として取り付けられている第１コネクタ部２１のビデオ出力端子１２１にモニタ画像信号が供給される構成としている。従って、特に延長状態や追加延長状態を想定していない本体部２の場合であっても、カメラヘッド部３側のユーザが、モニタ画像を確認できるようにする伝送構成を実現できる。
付言すると、基本状態では本体部２とカメラヘッド部３が一体のため、本体部２からカメラヘッド部３側へわざわざモニタ画像信号を伝送する必要はない。このため本体部２ではそのような伝送経路は通常、設けられていない。実施の形態では、延長ケーブル２０や追加延長ケーブル３０を用いる場合、カメラヘッド部３側のユーザが、モニタ画像を確認できないことがないように、新たにベースプレート５０を利用して伝送経路を形成するものである。これにより基本状態を想定したカメラシステムを用いた場合でも、延長状態においてユーザがモニタリング可能とすることを実現できる。
【０１７２】
実施の形態では、カメラヘッド部３に装着される延長ケーブル２０の第１コネクタ部２１にはモニタ画像信号を出力するビデオ出力端子１２１が設けられている。
ビデオ出力端子１２１にモニタ装置を接続することで、カメラヘッド部３側でユーザがモニタ画像を見ることができるようになる。
【０１７３】
実施の形態では、ベースプレート５０とカメラヘッド部３には、所定の同一機能が割り当てられた入力部としてアサイナブルボタン５２，３０２が備えられ、本体部２は、ベースプレート５０におけるアサイナブルボタン５２とカメラヘッド部３におけるアサイナブルボタン３０２の入力情報を、同一機能の入力信号として検出する。
つまりカメラヘッド部３の入力部と同じ入力を本体部２側で行うためにベースプレート５０にも同じ入力部を設ける。
延長状態又は追加延長状態では、カメラヘッド部３に設けられたアサイナブルボタン３０２を本体部２側のユーザが操作することができなくなる。そこでベースプレート５０に同じアサイナブルボタン５２を設ける。アサイナブルボタン３０２，５２はワイヤードＯＲ構成で接続される状態とされており、いずれの操作も同じ操作として制御部２００に認識される。従って、アサイナブルボタン３０２に割り当てた操作を、延長状態又は追加延長状態で本体部２側のユーザがアサイナブルボタン５２により操作することも可能となる。これにより延長状態又は追加延長状態での使用性、操作性が向上する。
また延長状態、追加延長状態で用いられるベースプレート５０にアサイナブルボタン５２を設けることで、必要なときにのみ提供される操作子となる。基本状態で不要なときは操作子として提供されないため、ユーザが操作に混乱することもない。
【０１７４】
実施の形態では、本体部２が画像信号に対して行う信号処理の１つは、画像信号を圧縮する処理であり、圧縮された画像信号を記録する記録部２０３を備えるようにした。
これにより、延長ケーブル２０や追加延長ケーブル３０によりカメラヘッド部３を本体部２から離れた位置で使用する場合でも、基本状態と同様にカメラシステムの画像記録動作を行うことができる。
【０１７５】
実施の形態では、本体部２は、延長ケーブル２０とともに所定数以上の追加延長ケーブル３０が用いられて本体部２からカメラヘッド部３までが接続された接続状態では、電源オンができない構成とした（図２１、図２２、図２３参照）。
例えばカメラヘッド部３、延長ケーブル２０、追加延長ケーブル３０、追加延長ケーブル３０、ベースプレート５０、本体部２というように順に接続された状態では動作させないようにする。延長ケーブル２０や追加延長ケーブル３０を用いた延長経路長が長すぎると、信号遅延の影響で適切な信号伝送、信号認識ができなくなる恐れがある。そこで、延長する経路長を制限し、ある長さ以上の接続では電源がオンとならないようにする。これによりユーザが不安定な動作による撮影を行うことがないようにすることができる。
【０１７６】
実施の形態のカメラシステムは、第１コネクタ部と第２コネクタ部を有し、カメラヘッド部３と本体部２の間を接続可能な第１のケーブルと、第３コネクタ部と第４コネクタ部を有し、第１のケーブルと接続された状態でカメラヘッド部３と本体部２の間を接続可能な第２のケーブルと、を備え第２コネクタ部と第４コネクタ部は同一の構造とされている。より具体的には、実施の形態のカメラシステムは、本体部２と、カメラヘッド部３と、カメラヘッド部３と本体部２の間で、カメラヘッド部３側に接続可能な第１コネクタ部２１と本体部２側に接続可能な第２コネクタ部２３を有する延長ケーブル２０と、延長ケーブル２０と本体部２の間で、延長ケーブル２０の第２コネクタ部２３に接続可能な第３コネクタ部３１と本体部２側に接続可能な第４コネクタ部３３を有する追加延長ケーブル３０とを備える。そして第２コネクタ部２３と第４コネクタ部３３は同一の構造とされているものとした。
このカメラシステムによれば、延長状態（３ｍ延長）、追加延長状態（６ｍ延長）のそれぞれを撮影時の事情に応じて使い分けることができる。
即ち延長ケーブル２０の第２コネクタ部２３と追加延長ケーブル３０の第４コネクタ部３３が同一構造のものであること、延長ケーブル２０の第２コネクタ部２３が追加延長ケーブル３０の第３コネクタ部３３と接続可能とされている。これにより、延長ケーブル２０と追加延長ケーブル３０は本体部２側（ベースプレート５０）に対して共に装着可能であり、また途中で切り離したり接続することで、延長状態と追加延長状態を容易に実現できる。つまり状況に応じたフレキシブルな接続運用が可能となる。
また、略３ｍの延長ケーブル２０と同じく略３ｍの追加延長ケーブル３０を備えるようにしているが、これは例えば３ｍの延長ケーブルと６ｍの延長ケーブルを別途用意する場合よりも、ケーブル総量が少なくなり、持ち運びや使い勝手がよいものとなる。
また第１コネクタ部２１はカメラヘッド部３に対応し、第３コネクタ部３１は第２コネクタ部２３に対応する構造である。これにより延長ケーブル２０と追加延長ケーブル３０は明確に形態が異なり、取り違えることはない。換言すれば間違えて追加延長ケーブル３０をカメラヘッド部３に接続してしまうといったことも発生しない。
また延長ケーブル２０と追加延長ケーブル３０の製造において第２コネクタ部２３と第４コネクタ部３３の製造を共通化でき、製造効率の向上やコストダウンを図ることができる。
【０１７７】
実施の形態では、本体部２に装着可能なベースプレート５０を備え、第２コネクタ部２３、及び第４コネクタ部３３は、ベースプレート５０に対して着脱可能とされている。
これにより、本体部２は特に延長ケーブル接続対応をとっていない構造とされていても、ベースプレート５０により延長ケーブル接続が可能となる。
またケーブル接続による延長には別体のベースプレート５０を本体部２に取り付けるという構成を採ることで、ベースプレート５０を利用して延長状態又は追加延長状態に対応した構成を採ることも可能となる。即ちカメラヘッド部３が本体部２から離れる状態での操作性、利便性を得るために、撮像画像のモニタリングのための構造（ビデオ入力端子５３）、操作のための構造（アサイナブルボタン５２）、電源供給のための構造（電源入力端子５１）等を、ベースプレート５０を用いて設けることができる。
【０１７８】
実施の形態のベースプレート５０は、本体部２に設けられているカメラヘッド部３を装着する装着部９に対して着脱可能とされている。
即ち本体部２からカメラヘッド部３を取り外した状態で表出する装着部９に対して、カメラヘッド部３に代えてベースプレート５０を装着できるようにしている。
ベースプレート５０は、カメラヘッド部３を外して延長状態又は追加延長状態とするときに用いるものである。そこでベースプレート５０の装着とカメラヘッド部３の装着に装着部９を共用することで、構成上支障がないとともに、本体部２に追加のベースプレート５０用の装着部を設ける必要もない。従って本体部２の構造の簡易化、効率化も実現できる。
また、延長状態又は追加延長状態とすると、カメラヘッド部３を本体部２から取り外すことになるが、その場合、カメラヘッド部３を取り付けていた部分（装着部９）が表出することになる。すると、見栄えが悪いとともに、本体部２内への塵や埃の侵入の増加、さらには内部構造の保護機能の脆弱化という問題が生ずる。実施の形態の場合は、この装着部９にベースプレート５０が装着されることで、延長状態や追加延長状態においてこれらの問題を生じさせないようにすることができる。
【０１７９】
実施の形態では、第２コネクタ部２３及び第４コネクタ部３３は、ベースプレート５０に設けられた凹部５４に嵌入する状態で装着可能とされている。
第２コネクタ部２３と第４コネクタ部３３は同一構造であるが、これらに対応してベースプレート５０には装着用の凹部５４が設けられるようにし、そこに第２コネクタ部２３と第４コネクタ部３３のいずれかが嵌め込まれるようにする。
凹部５４を形成することで、第２コネクタ部２３又は第４コネクタ部３３の装着箇所がわかりやすくなる。また第２コネクタ部２３又は第４コネクタ部３３を嵌入状態とさせることで、これらのコネクタ部への横方向からの衝撃等が加わりにくく、内部のコネクタ２３ａ又は３３ａとコネクタ５０ａの接合部の保護（端子保護）としての機能が得られる。
【０１８０】
実施の形態では、第２コネクタ部２３及び第４コネクタ部３３には、コネクタ配置面（端子面２３ＦＲ、３３ＦＲ）の背面２３ＢＫ、３３ＢＫにハンドル２３Ｈ、３３Ｈが形成されている。
これにより延長ケーブル２０や追加延長ケーブル３０の取扱いが容易化される。
特に第２コネクタ部２３や第４コネクタ部３３が、ベースプレート５０に設けられた凹部５４に嵌入する状態で装着される構造の場合、ハンドル２３Ｈ、３３Ｈが形成されていることで、第２コネクタ部２３や第４コネクタ部３３のベースプレート５０への嵌入・脱却が非常にやりやすいものとなる。
【０１８１】
実施の形態では、追加延長ケーブル３０の第３コネクタ部３１には、コネクタ配置面（端子面３１ＦＲ）の背面３１ＢＫにハンドル３１Ｈが形成されている。
これにより追加延長ケーブル３０の取扱いが容易化される。
【０１８２】
実施の形態では、これらのハンドル２３Ｈ、３１Ｈ、３３Ｈは、ケーブル端２２Ｅ２，３２Ｅ１，３２Ｅ２の両側となる位置に一対設けられている。例えば一対のハンドル（２３Ｈ、３１Ｈ、３３Ｈ）が、ケーブル端を例えば左右から挟み込むような位置に配置されるようにする。
これにより一対のハンドルが、ケーブル端２２Ｅ２を保護する機能を兼ね備えるようにすることができる。例えば図８，図１０のように左右一対のハンドル（２３Ｈ、３１Ｈ、３３Ｈ）を向ければ、ケーブル端２２Ｅ２，３２Ｅ１，３２Ｅ２に対する左右方向からの外部応力が加わりにくくできる。しかも、一対のハンドルの間隔が比較的狭いことで、上下方向からの外部応力も加わりにくい。
そして第２コネクタ部２３、第３コネクタ部３１、第４コネクタ部３３の全部又は一部においてハンドル（２３Ｈ、３１Ｈ、３３Ｈ）が設けられることで、ケーブル全体の保護機能を高めることができると共に、ケーブルの取り回しの容易性が向上する。
【０１８３】
実施の形態の第１コネクタ部２１には、ケーブル２２が、ケーブル端２２Ｅ１が下方に延伸する状態で取り付けられている。
これによりカメラヘッド部３に第１コネクタ部２１を装着した状態で、ケーブル２２が下方に自然に流れ、その柔軟性によって、第１コネクタ部２１の立った状態を妨げない。もしケーブル端２２Ｅ１が第１コネクタ部２１の背面に突出するように設けられたり、左右方向、もしくは上方に突出するように設けられていると、ケーブル２２の重みが第１コネクタ部２１に加わりやすく、第１コネクタ部２１の起立状態を維持しにくい。図７のようにケーブル端２２Ｅ１が下向きになるように取り付けられていることで、第１コネクタ部２１の起立状態が保たれやすい。これによっては、カメラヘッド部３を安定して任意の場所に置きやすいものとなるため、カメラヘッド部３を置いて撮影するケースを想定すると好適な構造となる。
また下方に向かってケーブル２２を出す構造とすることで、各種の撮影状況において、好きな方向にケーブル２２を回せることになり、本体部２から離したカメラヘッド部３を用いた撮影の際にケーブル２２が邪魔になりにくい。
またケーブル２２が第１コネクタ部２１の背面２１ＢＫ側に突出しないため、第１コネクタ部２１の背面２１ＢＫを何らかの機器への装着面として利用できることになる。例えば第１コネクタ部２１を装着したカメラヘッド部３をドローン等の飛行体、自動車、人体などに装着する場合に、ケーブル２２によって邪魔されずに背面２１ＢＫを利用できることなる。
【０１８４】
実施の形態の第２コネクタ部２３と第３コネクタ部３１は、ケーブル２２，３２が、ケーブル端２２Ｅ２、３２Ｅ１が端子面２３ＦＲ、３１ＦＲの背面２３ＢＫ、３１ＢＫから突出する状態で取り付けられている。
第２コネクタ部２３と第３コネクタ部３１は、延長ケーブル２０と追加延長ケーブル３０を接続する際に接続されるが、このとき第２コネクタ部２３と第３コネクタ部３１が、互いに背面２３ＢＫ、３１ＢＫにケーブル２２，３２が突出する状態となることで、６ｍ延長状態の中間部分を不必要に湾曲させないことになり、ケーブル長を最大限生かすことができる。またケーブル２２、３２を湾曲させないことで、ケーブル自体の保護ともなる。
また第２コネクタ部２３と第３コネクタ部３１はいずれかが本体部２側に接続されるが、この場合も背面２３ＢＫ、３１ＢＫにケーブル２２，３２が突出することで、本体部２の前方にケーブルをそのまま伸ばすことができ、ケーブル長を有効に利用できることになる。
【０１８５】
実施の形態の第１コネクタ部２１にはビデオ出力端子１２１が設けられている。
これにより本体部２から離されたカメラヘッド部３側において、撮像画像のモニタリングを行うことができる。特に、第１コネクタ部２１にビデオ出力端子１２１を設けることで、延長状態又は追加延長状態のみにおいて必要なビデオ出力端子１２１が、当該状態の場合にのみ利用可能となり、機能に適した配置構造となる。
また実施の形態では、ベースプレート５０にビデオ入力端子５３が設けられている。
これにより例えば本体部２の接続端子１４から出力されるモニタ用のビデオ信号をベースプレート５０が入力して、カメラヘッド部３側に伝送する構造をとることができるようになる。
【０１８６】
実施の形態では、ビデオ入力端子５３から入力されたビデオ信号を出力するビデオ出力端子１２１が、第１コネクタ部２１に設けられている。
上記のように、ビデオ出力端子１２１を利用することにより、本体部２から離されたカメラヘッド部３側において、撮像画像のモニタリングを行うことができるが、特に、ベースプレート５０のビデオ入力端子５３に対応することで、延長状態又は追加延長状態のみに機能するビデオ出力端子となる。そしてベースプレート５０でのビデオ入力端子５３は、各種のビデオ信号入力が可能であるため、撮像のモニタリング画像に限らず、本体部２側からカメラヘッド部３側に対して各種の映像を送信できることにもなる。
【０１８７】
実施の形態では第１コネクタ部２１に電源出力端子１２０が設けられている。
これにより本体部２から離されたカメラヘッド部３側において、必要に応じて電源電圧をとることができる。例えば外部電源が必要なレンズユニットを用いる場合などに有用な構造となる。また延長状態、追加延長状態にいて使用される延長ケーブル２０の第１コネクタ部２１に設けることで、必要時のみに提供される端子となる。不要なときに提供されないことで、誤った使用が行われない。
【０１８８】
実施の形態では、ベースプレート５０に、電源出力端子１２０に電源電圧供給を行う電源入力端子５１が設けられている。
即ち本体部２に取り付けられるベースプレート５０に電源入力端子５１を設け、この電源入力端子５１からの電源電圧が外部電源ラインＬＮ７を介して第１コネクタ部２１の電源出力端子１２０に供給されるようにしている。
これにより例えば本体部２とカメラヘッド部３が離されて使用される延長状態又は追加延長状態において、本体部２側から電源供給を行い、カメラヘッド部３側で電源電圧を取り出して利用できるという構造が実現できる。
またベースプレート５０に設けることで電源入力端子５１は、必要時のみ（延長状態、追加延長状態の場合）に提供される端子となり、不要なときは誤用されないようにすることができ好適である。
【０１８９】
実施の形態で説明した構造や伝送信号経路等は一例であり、図示した構成に限定されるものではない。
また、第１コネクタ部２１とカメラヘッド部３の接続、第２コネクタ部２３と第３コネクタ部の接続、第２コネクタ部２３とベースプレート５０の接続、第４コネクタ部３３とベースプレート５０の接続、カメラヘッド部３と本体部２の接続、ベースプレート５０はと本体部２の接続のそれぞれに関しては、コネクタ接続以外の接続機構は例示していないが、他の係合機構等、接続状態を維持するための機構が設けられてもよいことは当然である。
【０１９０】
また、実施の形態では、延長状態では、本体部２（ベースプレート５０）、延長ケーブル２０、カメラヘッド部３の順に接続されるものとしたが、これに限定されない。例えば本体部２とカメラヘッド部３が、追加延長ケーブル３０を介して接続される形態も考えられる。
これは例えばカメラヘッド部３にベースプレート５０を設けて第３コネクタ部３１とカメラヘッド部３とを接続できるようにしたり、また第３コネクタ部３１をベースプレート５０がなくてもヘッド部に接続できるように第１コネクタ部２１と全く同じ大きさにすることなどにより可能である。
【０１９１】
また、実施の形態では、追加延長状態では、本体部２（ベースプレート５０）、追加延長ケーブル３０、延長ケーブル２０、カメラヘッド部３の順に接続されるものとしたが、これに限定されない。
即ち、追加延長状態で、本体部２（ベースプレート５０）、延長ケーブル２０、追加延長ケーブル３０、カメラヘッド部３の順に接続されるようにしてもよい。
つまり、追加延長ケーブル３０が、カメラヘッド部３側に接続可能な構成を採り、延長ケーブル２０が本体部２側に接続可能な構成を採ることが考えられる。ベースプレート５０もしくは同等の部材が必要に応じて用いられるようにすればよい。
【０１９２】
例えば追加延長状態において本体部２（ベースプレート５０）、延長ケーブル２０、追加延長ケーブル３０、カメラヘッド部３の順に接続される場合、図１３等で説明したコネクタ接続形態も適宜変更される。一例をあげれば次のような接合が可能な構造とされればよい。
【０１９３】
カメラヘッド部３のコネクタ３ａは、コネクタ２ａ、３１ａに接合可能とする。
延長ケーブル２０の第１コネクタ部２１のコネクタ２１ａは、コネクタ３ａ、３３ａに接合可能とする。
延長ケーブル２０の第２コネクタ部２３のコネクタ２３ａは、コネクタ５０ａに接合可能とする。
追加延長ケーブル３０の第３コネクタ部３１のコネクタ３１ａは、コネクタ３ａに接合可能とする。
追加延長ケーブル３０の第４コネクタ部３３のコネクタ３３ａは、コネクタ２１ａ、５０ａに接合可能とする。
ベースプレート５０の端子面５０Ｔａのコネクタ５０ａはコネクタ２３ａ、３３ａに接合可能とする。
ベースプレート５０の端子面５０Ｔｂのコネクタ５０ｂはコネクタ２ａに接合可能とする。
本体部２のコネクタ２ａはコネクタ３ａ、５０ｂに接合可能である。
このようにすることで上記の順序の接続で追加延長状態が形成されるようになる。
【０１９４】
また、そのような順序での追加延長状態３０を想定した場合、第４コネクタ部の後／前処理部３５において、上述した後／前処理部２５のような切替処理が行われることが考えられる。
【０１９５】
なお、いずれの接続状態においても、増幅を行う回路は延長ケーブル２０と追加延長ケーブル３０の接続箇所におけるカメラヘッド部３に近い方のコネクタ内に配置されることが好ましい。コネクタ間の伝送でレベル低下が大きいためである。
【０１９６】
また追加延長状態において本体部２（ベースプレート５０）、延長ケーブル２０、追加延長ケーブル３０、カメラヘッド部３の順に接続される場合は、上述の実施の形態とは延長ケーブル２０を追加延長ケーブル３０の接続順が逆になることから、次のような構成が望ましい。
【０１９７】
例えば第１コネクタ部２１のコネクタ配置面の背面側にハンドルが形成されているようにするとよい。追加延長状態において第４コネクタ部３３と第１コネクタ部２１が接合される際に取扱いが容易化される。
また従って第１コネクタ部２１と第４コネクタ部３３は、ケーブルが、ケーブル端がコネクタ端子面の背面から突出する状態で取り付けられているとよい。ケーブル端２２Ｅ１、３２Ｅ２の保護機能が得られ、またコネクタ接合部分の取扱いが容易化される。
また第３コネクタ部３１には、ケーブル３２が、ケーブル端が下方に延伸する状態で取り付けられているようにするとよい。これにより第３コネクタ部３１がカメラヘッド部３に接合される際の姿勢の安定化等が図られる。
また第３コネクタ部３１にビデオ出力端子１２１が設けられているとよい。これにより第３コネクタ部３１がカメラヘッド部３に接合される際にビデオ出力端子１２１がカメラヘッド部３側に位置されることになる。
また第３コネクタ部３１に外部電源出力端子１２０が設けられているとよい。これにより第３コネクタ部３１がカメラヘッド部３に接合される際に外部電源出力端子１２０がカメラヘッド部３側に位置されることになる。
【０１９８】
なお、本明細書に記載された効果はあくまでも例示であって限定されるものではなく、また他の効果があってもよい。
【０１９９】
なお本技術は以下の（１）から（１７）のような構成も採ることができる。
（１）
本体部と、
イメージセンサを備え前記本体部に対して着脱可能に構成されているカメラヘッド部と、
第１コネクタ部と第２コネクタ部を有し、前記カメラヘッド部と前記本体部の間を接続可能な第１のケーブルと、
第３コネクタ部と第４コネクタ部を有し、前記第１のケーブルと接続された状態で前記カメラヘッド部と前記本体部の間を接続可能な第２のケーブルと、
を備え、
前記第２コネクタ部と前記第４コネクタ部は同一の構造とされている
カメラシステム。
（２）
前記本体部に装着可能なベースプレートを備え、
前記第２コネクタ部、及び前記第４コネクタ部は、前記ベースプレートに対して着脱可能とされている
上記（１）に記載のカメラシステム。
（３）
前記ベースプレートは、
前記本体部に設けられている前記カメラヘッド部を装着する装着部に対して着脱可能とされている
上記（２）に記載のカメラシステム。
（４）
前記第２コネクタ部及び前記第４コネクタ部は、前記ベースプレートに設けられた凹部に嵌入する状態で装着可能とされている
上記（２）又は（３）に記載のカメラシステム。
（５）
前記第２コネクタ部及び前記第４コネクタ部には、コネクタ配置面の背面側にハンドルが形成されている
上記（１）から（４）のいずれかに記載のカメラシステム。
（６）
前記第１コネクタ部又は前記第３コネクタ部には、コネクタ配置面の背面側にハンドルが形成されている
上記（１）から（５）のいずれかに記載のカメラシステム。
（７）
前記ハンドルは、ケーブル端の両側となる位置に一対設けられている
上記（５）又は（６）に記載のカメラシステム。
（８）
前記第１コネクタ部又は前記第３コネクタ部には、ケーブルが、ケーブル端が下方に延伸する状態で取り付けられている
上記（１）から（７）のいずれかに記載のカメラシステム。
（９）
前記第２コネクタ部と前記第３コネクタ部、又は前記第１コネクタ部と前記第４コネクタ部は、
ケーブルが、ケーブル端がコネクタ端子面の背面から突出する状態で取り付けられている
上記（１）から（８）のいずれかに記載のカメラシステム。
（１０）
前記第１コネクタ部にビデオ出力端子が設けられている
上記（１）から（９）のいずれかに記載のカメラシステム。
（１１）
前記ベースプレートにビデオ入力端子が設けられている
上記（２）から（４）のいずれかに記載のカメラシステム。
（１２）
前記ビデオ入力端子から入力されたビデオ信号を出力するビデオ出力端子が、前記第１コネクタ部又は前記第３コネクタ部に設けられている
上記（１１）に記載のカメラシステム。
（１３）
前記ベースプレートには、前記カメラヘッド部に設けられている操作子と同一の操作機能となる操作子が設けられている
上記（２）（３）（４）（１１）（１２）のいずれかに記載のカメラシステム。
（１４）
前記第１コネクタ部又は前記第３コネクタ部に電源出力端子が設けられている
上記（１）から（１３）のいずれかに記載のカメラシステム。
（１５）
前記本体部に装着可能なベースプレートを備え、
前記ベースプレートに、前記電源出力端子に電源電圧供給を行う電源入力端子が設けられている
上記（１４）に記載のカメラシステム。
（１６）
本体部と、イメージセンサを備え前記本体部に対して着脱可能に構成されているカメラヘッド部とを備えたカメラシステムにおいて、前記本体部と前記カメラヘッド部の間の接続に用いることのできるケーブルとして、
前記カメラヘッド部側と前記本体部側の間を接続可能な第１コネクタ部と第２コネクタ部とを有し、
前記第２コネクタ部は、自身と接続した状態で前記カメラヘッド部側と前記本体部側の間を接続可能な他のケーブルの一のコネクタ部と同一の構造とされている
ケーブル。
（１７）
本体部と、イメージセンサを備え前記本体部に対して着脱可能に構成されているカメラヘッド部と、第１コネクタ部と第２コネクタ部を有し、前記カメラヘッド部と前記本体部の間を接続可能な他のケーブルを備えたカメラシステムにおいて、第３コネクタ部と第４コネクタ部を有し、前記他のケーブルと接続された状態で前記カメラヘッド部と前記本体部の間を接続可能なケーブルとして、
前記第４コネクタ部は前記第２コネクタ部と同一の構造とされている
ケーブル。
【０２００】
また本技術は以下の（１０１）から（１１７）のような構成も採ることができる。
（１０１）
本体部と、
イメージセンサを備え前記本体部に対して着脱可能に構成されているカメラヘッド部と、
前記カメラヘッド部と前記本体部の間で、前記カメラヘッド部側に接続可能な第１コネクタ部と前記本体部側に接続可能な第２コネクタ部を有する延長ケーブルと、
前記延長ケーブルと前記本体部の間で、前記延長ケーブルの前記第２コネクタ部に接続可能な第３コネクタ部と前記本体部側に接続可能な第４コネクタ部を有する追加延長ケーブルと、を備え、
前記第２コネクタ部と前記第４コネクタ部は同一の構造とされている
カメラシステム。
（１０２）
前記本体部に装着可能なベースプレートを備え、
前記第２コネクタ部、及び前記第４コネクタ部は、前記ベースプレートに対して着脱可能とされている
上記（１０１）に記載のカメラシステム。
（１０３）
前記ベースプレートは、
前記本体部に設けられている前記カメラヘッド部を装着する装着部に対して着脱可能とされている
上記（１０２）に記載のカメラシステム。
（１０４）
前記第２コネクタ部及び前記第４コネクタ部は、前記ベースプレートに設けられた凹部に嵌入する状態で装着可能とされている
上記（１０２）又は（１０３）に記載のカメラシステム。
（１０５）
前記第２コネクタ部及び前記第４コネクタ部には、コネクタ配置面の背面側にハンドルが形成されている
上記（１０１）から（１０４）のいずれかに記載のカメラシステム。
（１０６）
前記第３コネクタ部には、コネクタ配置面の背面側にハンドルが形成されている
上記（１０１）から（１０５）のいずれかに記載のカメラシステム。
（１０７）
前記ハンドルは、ケーブル端の両側となる位置に一対設けられている
上記（１０５）又は（１０６）に記載のカメラシステム。
（１０８）
前記第１コネクタ部には、ケーブルが、ケーブル端が下方に延伸する状態で取り付けられている
上記（１０１）から（１０７）のいずれかに記載のカメラシステム。
（１０９）
前記第２コネクタ部と前記第３コネクタ部は、
ケーブルが、ケーブル端がコネクタ端子面の背面から突出する状態で取り付けられている
上記（１０１）から（１０８）のいずれかに記載のカメラシステム。
（１１０）
前記第１コネクタ部にビデオ出力端子が設けられている
上記（１０１）から（１０９）のいずれかに記載のカメラシステム。
（１１１）
前記ベースプレートにビデオ入力端子が設けられている
上記（１０２）から（１０４）のいずれかに記載のカメラシステム。
（１１２）
前記ビデオ入力端子から入力されたビデオ信号を出力するビデオ出力端子が、前記第１コネクタ部に設けられている
上記（１１１）に記載のカメラシステム。
（１１３）
前記ベースプレートには、前記カメラヘッド部に設けられている操作子と同一の操作機能となる操作子が設けられている
上記（１０２）（１０３）（１０４）（１１１）（１１２）のいずれかに記載のカメラシステム。
（１１４）
前記第１コネクタ部に電源出力端子が設けられている
上記（１０１）から（１１３）のいずれかに記載のカメラシステム。
（１１５）
前記本体部に装着可能なベースプレートを備え、
前記ベースプレートに、前記電源出力端子に電源電圧供給を行う電源入力端子が設けられている
上記（１１４）に記載のカメラシステム。
（１１６）
本体部と、イメージセンサを備え前記本体部に対して着脱可能に構成されているカメラヘッド部とを備えたカメラシステムにおいて、前記本体部と前記カメラヘッド部の間の接続に用いることのできる延長ケーブルとして、
前記カメラヘッド部側に接続可能な第１コネクタ部と、
前記本体部側に接続可能な第２コネクタ部と、
を有し、
前記第２コネクタ部は、該第２コネクタ部と前記本体部側の間を接続可能な他の追加延長ケーブルの前記本体部側のコネクタ部と同一の構造とされている
延長ケーブル。
（１１７）
本体部と、イメージセンサを備え前記本体部に対して着脱可能に構成されているカメラヘッド部と、前記カメラヘッド部側に接続可能な第１コネクタ部と前記本体部側に接続可能な第２コネクタ部を有し前記本体部と前記カメラヘッド部の間の接続に用いることのできる延長ケーブルと、を備えたカメラシステムにおいて、前記延長ケーブルと前記本体部の間の接続に用いることのできる追加延長ケーブルとして、
前記延長ケーブルの前記第２コネクタ部に接続可能な第３コネクタ部と、
前記本体部側に接続可能な第４コネクタ部を有し、
前記第４コネクタ部は前記第２コネクタ部と同一の構造とされている
追加延長ケーブル。
【符号の説明】
【０２０１】
１…撮像装置、２…本体部、２ａ…コネクタ、３…カメラヘッド部、３ａ…コネクタ、３Ｔ…端子面、４…外パネル、５…外筐、６…ベースパネル部、７…アッパーパネル部、８…リアパネル部、９…装着部、１０，１１…側面部、１２…操作部、１３…表示部、１４…接続端子、１４ａ…ビデオ出力端子、１５…調整台、１６…溝部、１７…調整部、２０…延長ケーブル、２１…第１コネクタ部、２１ａ…コネクタ、２１Ｈ…ハンドル、２１ＢＫ…背面、２１ＦＲ…端子面、２１Ｋ…筐体、２２…ケーブル、２２Ｅ１，２２Ｅ２…ケーブル端、２３…第２コネクタ部、２３ａ…コネクタ、２３Ｈ…ハンドル、２３ＢＫ…背面、２３ＦＲ…端子面、２３Ｋ…筐体、２４…前処理部、２５…後／前処理部、２６，２７…バッファーアンプ、２８，２９，３９…ＤＣ／ＤＣコンバータ、３０…追加延長ケーブル、３１…第３コネクタ部、３１ａ…コネクタ、３１Ｈ…ハンドル、３１ＢＫ…背面、３１ＦＲ…端子面、３１Ｋ…筐体、３２…ケーブル、３２Ｅ１，３２Ｅ２…ケーブル端、３３…第４コネクタ部、３３ａ…コネクタ、３３Ｈ…ハンドル、３３ＢＫ…背面、３３ＦＲ…端子面、３３Ｋ…筐体、３５…後／前処理部、３６，３７…バッファーアンプ、５０…ベースプレート、５０ａ，５０ｂ…コネクタ、５０Ｔａ，５０Ｔｂ…端子面、５１…外部電源入力端子、５２…アサイナブルボタン、５３…ビデオ入力端子、５４…凹部、５５…基板、１２０…外部電源出力端子、１２１…ビデオ出力端子、１２２…補償回路、１２３…スイッチ回路、１２４…プリエンファシス回路、１２５…スイッチ制御回路、１２６…切欠部、１２７，１３１，１３２…窪み部、２００…制御部、２０２…信号処理部、２０３…記録部、２０４…通信部、２０５…電源回路、３００…イメージセンサ、３０１…レンズ系駆動部、３０２…アサイナブルボタン
【図１】
2020054267.tif 000003
【図２】
2020054267.tif 000004
【図３】
2020054267.tif 000005
【図４】
2020054267.tif 000006
【図５】
2020054267.tif 000007
【図６】
2020054267.tif 000008
【図７】
2020054267.tif 000009
【図８】
2020054267.tif 000010
【図９】
2020054267.tif 000011
【図１０】
2020054267.tif 000012
【図１１】
2020054267.tif 000013
【図１２】
2020054267.tif 000014
【図１３】
2020054267.tif 000015
【図１４】
2020054267.tif 000016
【図１５】
2020054267.tif 000017
【図１６】
2020054267.tif 000018
【図１７】
2020054267.tif 000019
【図１８】
2020054267.tif 000020
【図１９】
2020054267.tif 000021
【図２０】
2020054267.tif 000022
【図２１】
2020054267.tif 000023
【図２２】
2020054267.tif 000024
【図２３】
2020054267.tif 000025
【国際調査報告】
2020054267.tif 000026
2020054267.tif 000027